(57)【特許請求の範囲】
【請求項１】
目的地や目的施設に関する文字、画像及び地図データからなる、ベンダー側提供のガイド情報を処理する情報処理装置において、
前記ガイド情報を表示する表示手段と、
前記表示手段に前記ガイド情報の他、ユーザが記録したユーザ情報を関連付けて表示させる制御手段と、
前記ガイド情報のバージョンアップデータを記録するバージョンアップデータ記録手段と、
前記バージョンアップデータ記録手段から前記バージョンアップデータを読み込むバージョンアップデータ読み込み手段と、
前記バージョンアップデータ読み込み手段で読み込まれたバージョンアップデータの書き込み対象となるガイド情報を検索するガイド情報検索手段と、
前記ガイド情報検索手段にて検索されたガイド情報とユーザ情報とのリンク情報を検索するリンク情報検索手段と、
前記バージョンアップデータ読み込み手段で読み込まれたバージョンアップデータを前記ガイド情報検索手段で検索されたガイド情報に書き込むバージョンアップデータ書き込み手段と、
前記リンク情報検索手段にて検索されたリンク情報の一時的な退避先となるリンク情報記憶手段と、
前記リンク情報記憶手段にリンク情報を一時的に退避すると共に退避したリンク情報を元に戻すために前記リンク情報記憶手段から移動するリンク情報移動手段とを備え、
前記バージョンアップデータ読み込み手段により、前記ガイド情報のバージョンアップデータを読み込んだ場合、前記ガイド情報検索手段に先のバージョンの前記ガイド情報を検索させ、
前記ガイド情報検索手段が前記先のバージョンの前記ガイド情報を検索した場合は、前記リンク情報検索手段に前記ガイド情報と前記ユーザ情報との間の前記リンク情報の有無を検索させ、
前記リンク情報検索手段にて前記リンク情報の有を検索した場合は、前記リンク情報移動手段により前記リンク情報を前記リンク情報記憶手段へ退避させ、
前記バージョンアップデータ書き込み手段が前記ガイド情報のバージョンアップデータを前記ガイド情報に書き込んだ後に、前記リンク情報移動手段により前記リンク情報記憶手段から前記リンク情報を元に移動させること
を特徴とする情報処理装置。
【請求項２】
前記制御手段は、文字、画像からなるユーザ情報を、前記リンク情報を用いて前記ガイド情報に関連付けて前記表示部に表示させることを特徴とする請求項１記載の情報処理装置。
【請求項３】
目的地や目的施設に関する文字、画像及び地図データからなる、ベンダー側提供のガイド情報を処理する情報処理装置において、
前記ガイド情報を表示する表示手段と、
前記画像からなるガイド情報をユーザによる撮影画像に置き換えて前記表示手段に表示させる制御手段と、
前記ガイド情報のバージョンアップデータを記録するバージョンアップデータ記録手段と、
前記バージョンアップデータ記録手段から前記バージョンアップデータを読み込むバージョンアップデータ読み込み手段と、
前記バージョンアップデータ読み込み手段で読み込まれたバージョンアップデータの書き込み対象となるガイド情報を検索するガイド情報検索手段と、
前記ガイド情報検索手段にて検索されたガイド情報とユーザ情報とのリンク情報を検索するリンク情報検索手段と、
前記バージョンアップデータ読み込み手段で読み込まれたバージョンアップデータを前記ガイド情報検索手段で検索されたガイド情報に書き込むバージョンアップデータ書き込み手段と、
前記リンク情報検索手段にて検索されたリンク情報の一時的な退避先となるリンク情報記憶手段と、
前記リンク情報記憶手段にリンク情報を一時的に退避すると共に退避したリンク情報を元に戻すために前記リンク情報記憶手段から移動するリンク情報移動手段とを備え、
前記バージョンアップデータ読み込み手段により、前記ガイド情報のバージョンアップデータを読み込んだ場合、前記ガイド情報検索手段に先のバージョンの前記ガイド情報を検索させ、
前記ガイド情報検索手段が前記先のバージョンの前記ガイド情報を検索した場合は、前記リンク情報検索手段に前記ガイド情報と前記ユーザ情報との間の前記リンク情報の有無を検索させ、
前記リンク情報検索手段にて前記リンク情報の有を検索した場合は、前記リンク情報移動手段により前記リンク情報を前記リンク情報記憶手段へ退避させ、
前記バージョンアップデータ書き込み手段が前記ガイド情報のバージョンアップデータを前記ガイド情報に書き込んだ後に、前記リンク情報移動手段により前記リンク情報記憶手段から前記リンク情報を元に移動させること
を特徴とする情報処理装置。
【請求項４】
目的地や目的施設に関する文字、画像及び地図データからなる、ベンダー側提供のガイド情報を処理する情報処理装置において、
前記ガイド情報を表示する表示手段と、
現在位置を測定して得られた測位情報に応じた現在位置マークと前記目的地や目的施設までの経路を前記表示手段に表示させる制御手段と、
前記ガイド情報のバージョンアップデータを記録するバージョンアップデータ記録手段と、
前記バージョンアップデータ記録手段から前記バージョンアップデータを読み込むバージョンアップデータ読み込み手段と、
前記バージョンアップデータ読み込み手段で読み込まれたバージョンアップデータの書き込み対象となるガイド情報を検索するガイド情報検索手段と、
前記ガイド情報検索手段にて検索されたガイド情報とユーザ情報とのリンク情報を検索するリンク情報検索手段と、
前記バージョンアップデータ読み込み手段で読み込まれたバージョンアップデータを前記ガイド情報検索手段で検索されたガイド情報に書き込むバージョンアップデータ書き込み手段と、
前記リンク情報検索手段にて検索されたリンク情報の一時的な退避先となるリンク情報記憶手段と、
前記リンク情報記憶手段にリンク情報を一時的に退避すると共に退避したリンク情報を元に戻すために前記リンク情報記憶手段から移動するリンク情報移動手段とを備え、
前記バージョンアップデータ読み込み手段により、前記ガイド情報のバージョンアップデータを読み込んだ場合、前記ガイド情報検索手段に先のバージョンの前記ガイド情報を検索させ、
前記ガイド情報検索手段が前記先のバージョンの前記ガイド情報を検索した場合は、前記リンク情報検索手段に前記ガイド情報と前記ユーザ情報との間の前記リンク情報の有無を検索させ、
前記リンク情報検索手段にて前記リンク情報の有を検索した場合は、前記リンク情報移動手段により前記リンク情報を前記リンク情報記憶手段へ退避させ、
前記バージョンアップデータ書き込み手段が前記ガイド情報のバージョンアップデータを前記ガイド情報に書き込んだ後に、前記リンク情報移動手段により前記リンク情報記憶手段から前記リンク情報を元に移動させること
を特徴とする情報処理装置。
【請求項５】
前記測位情報を得る現在位置測位手段をさらに備えることを特徴とする請求項４記載の情報処理装置。
【請求項６】
目的地や目的施設に関する文字、画像及び地図データからなる、ベンダー側提供のガイド情報を処理する情報処理装置において、
前記ガイド情報の他、ユーザが記録したユーザ情報を記録媒体に保存、又は外部に出力させる制御手段と、
前記ガイド情報のバージョンアップデータを記録するバージョンアップデータ記録手段と、
前記バージョンアップデータ記録手段から前記バージョンアップデータを読み込むバージョンアップデータ読み込み手段と、
前記バージョンアップデータ読み込み手段で読み込まれたバージョンアップデータの書き込み対象となるガイド情報を検索するガイド情報検索手段と、
前記ガイド情報検索手段にて検索されたガイド情報とユーザ情報とのリンク情報を検索するリンク情報検索手段と、
前記バージョンアップデータ読み込み手段で読み込まれたバージョンアップデータを前記ガイド情報検索手段で検索されたガイド情報に書き込むバージョンアップデータ書き込み手段と、
前記リンク情報検索手段にて検索されたリンク情報の一時的な退避先となるリンク情報記憶手段と、
前記リンク情報記憶手段にリンク情報を一時的に退避すると共に退避したリンク情報を元に戻すために前記リンク情報記憶手段から移動するリンク情報移動手段とを備え、
前記バージョンアップデータ読み込み手段により、前記ガイド情報のバージョンアップデータを読み込んだ場合、前記ガイド情報検索手段に先のバージョンの前記ガイド情報を検索させ、
前記ガイド情報検索手段が前記先のバージョンの前記ガイド情報を検索した場合は、前記リンク情報検索手段に前記ガイド情報と前記ユーザ情報との間の前記リンク情報の有無を検索させ、
前記リンク情報検索手段にて前記リンク情報の有を検索した場合は、前記リンク情報移動手段により前記リンク情報を前記リンク情報記憶手段へ退避させ、
前記バージョンアップデータ書き込み手段が前記ガイド情報のバージョンアップデータを前記ガイド情報に書き込んだ後に、前記リンク情報移動手段により前記リンク情報記憶手段から前記リンク情報を元に移動させること
を特徴とする情報処理装置。
【請求項７】
前記制御手段は、前記ガイド情報の他、前記ユーザ情報、さらには現在位置を測定して得られた測位情報に応じた現在位置マークと前記目的地や目的施設までの経路を表示手段に表示させることを特徴とする請求項６記載の情報処理装置。
【請求項８】
目的地や目的施設に関する文字、画像及び地図データからなる、ベンダー側提供のガイド情報を処理するための情報処理方法において、
前記ガイド情報を表示する表示手段に前記ガイド情報の他、ユーザが記録したユーザ情報を関連付けて表示させる制御工程を有し、
前記制御工程はさらに、
前記ガイド情報のバージョンアップデータを記録するバージョンアップデータ記録手段から前記バージョンアップデータを読み込むバージョンアップデータ読み込み工程と、
前記バージョンアップデータ読み込み手段で読み込まれたバージョンアップデータの書き込み対象となるガイド情報を検索するガイド情報検索工程と、
前記ガイド情報検索工程にて検索されたガイド情報とユーザ情報とのリンク情報を検索するリンク情報検索工程と、
前記バージョンアップデータ読み込み手段で読み込まれたバージョンアップデータを前記ガイド情報検索工程で検索されたガイド情報に書き込むバージョンアップデータ書き込み工程と、
前記リンク情報検索工程にて検索されたリンク情報の一時的な退避先となるリンク情報記憶手段にリンク情報を一時的に退避すると共に退避したリンク情報を元に戻すために前記リンク情報記憶手段から移動するリンク情報移動工程とを備え、
前記バージョンアップデータ読み込み工程により、前記ガイド情報のバージョンアップデータを読み込んだ場合、前記ガイド情報検索工程に先のバージョンの前記ガイド情報を検索させ、
前記ガイド情報検索工程が前記先のバージョンの前記ガイド情報を検索した場合は、前記リンク情報検索工程に前記ガイド情報と前記ユーザ情報との間の前記リンク情報の有無を検索させ、
前記リンク情報検索工程にて前記リンク情報の有を検索した場合は、前記リンク情報移動工程により前記リンク情報を前記リンク情報記憶手段へ退避させ、
前記バージョンアップデータ書き込み工程が前記ガイド情報のバージョンアップデータを前記ガイド情報に書き込んだ後に、前記リンク情報移動工程により前記リンク情報記憶手段から前記リンク情報を元に移動させること
を特徴とする情報処理方法。
【請求項９】
前記制御工程は、さらに少なくとも前記ガイド情報と、選択的に前記ガイド情報に関連したユーザ情報とを記録している記録媒体から、前記ユーザ情報の有無をチェックするチェック工程と、前記チェック工程によるユーザ情報の有無の結果に応じて前記表示手段に前記ガイド情報のみ、又は前記ガイド情報とユーザ情報とを表示する工程とを備えることを特徴とする請求項８記載の情報処理方法。
【請求項１０】
目的地や目的施設に関する文字、画像及び地図データからなる、ベンダー側提供のガイド情報を処理するための情報処理方法において、
前記ガイド情報を表示する表示手段に、前記画像からなるガイド情報をユーザによる撮影画像に置き換えて表示させる制御工程を有し、
前記制御工程はさらに、
前記ガイド情報のバージョンアップデータを記録するバージョンアップデータ記録手段から前記バージョンアップデータを読み込むバージョンアップデータ読み込み工程と、
前記バージョンアップデータ読み込み工程で読み込まれたバージョンアップデータの書き込み対象となるガイド情報を検索するガイド情報検索工程と、
前記ガイド情報検索工程にて検索されたガイド情報とユーザ情報とのリンク情報を検索するリンク情報検索工程と、
前記バージョンアップデータ読み込み工程で読み込まれたバージョンアップデータを前記ガイド情報検索工程で検索されたガイド情報に書き込むバージョンアップデータ書き込み工程と、
前記リンク情報検索工程にて検索されたリンク情報の一時的な退避先となるリンク情報記憶手段にリンク情報を一時的に退避すると共に退避したリンク情報を元に戻すために前記リンク情報記憶手段から移動するリンク情報移動工程とを備え、
前記バージョンアップデータ読み込み工程により、前記ガイド情報のバージョンアップデータを読み込んだ場合、前記ガイド情報検索工程に先のバージョンの前記ガイド情報を検索させ、
前記ガイド情報検索工程が前記先のバージョンの前記ガイド情報を検索した場合は、前記リンク情報検索工程に前記ガイド情報と前記ユーザ情報との間の前記リンク情報の有無を検索させ、
前記リンク情報検索工程にて前記リンク情報の有を検索した場合は、前記リンク情報移動工程により前記リンク情報を前記リンク情報記憶手段へ退避させ、
前記バージョンアップデータ書き込み工程が前記ガイド情報のバージョンアップデータを前記ガイド情報に書き込んだ後に、前記リンク情報移動工程により前記リンク情報記憶手段から前記リンク情報を元に移動させること
を特徴とする情報処理方法。
【請求項１１】
目的地や目的施設に関する文字、画像及び地図データからなる、ベンダー側提供のガイド情報を処理するための情報処理方法において、
前記ガイド情報を表示する表示手段に、現在位置を測定して得られた測位情報に応じた現在位置マークと前記目的地や目的施設までの経路を表示させる制御工程を有し、
前記制御工程はさらに、
前記ガイド情報のバージョンアップデータを記録するバージョンアップデータ記録手段から前記バージョンアップデータを読み込むバージョンアップデータ読み込み工程と、
前記バージョンアップデータ読み込み工程で読み込まれたバージョンアップデータの書き込み対象となるガイド情報を検索するガイド情報検索工程と、
前記ガイド情報検索工程にて検索されたガイド情報とユーザ情報とのリンク情報を検索するリンク情報検索工程と、
前記バージョンアップデータ読み込み工程で読み込まれたバージョンアップデータを前記ガイド情報検索工程で検索されたガイド情報に書き込むバージョンアップデータ書き込み工程と、
前記リンク情報検索工程にて検索されたリンク情報の一時的な退避先となるリンク情報記憶手段にリンク情報を一時的に退避すると共に退避したリンク情報を元に戻すために前記リンク情報記憶手段から移動するリンク情報移動工程とを備え、
前記バージョンアップデータ読み込み工程により、前記ガイド情報のバージョンアップデータを読み込んだ場合、前記ガイド情報検索工程に先のバージョンの前記ガイド情報を検索させ、
前記ガイド情報検索工程が前記先のバージョンの前記ガイド情報を検索した場合は、前記リンク情報検索工程に前記ガイド情報と前記ユーザ情報との間の前記リンク情報の有無を検索させ、
前記リンク情報検索工程にて前記リンク情報の有を検索した場合は、前記リンク情報移動工程により前記リンク情報を前記リンク情報記憶手段へ退避させ、
前記バージョンアップデータ書き込み工程が前記ガイド情報のバージョンアップデータを前記ガイド情報に書き込んだ後に、前記リンク情報移動工程により前記リンク情報記憶手段から前記リンク情報を元に移動させること
を特徴とする情報処理方法。
【請求項１２】
目的地や目的施設に関する文字、画像及び地図データからなる、ベンダー側提供のガイド情報を処理するための情報処理方法において、
前記ガイド情報の他、ユーザが記録したユーザ情報を記録媒体に保存、又は外部に出力させる制御工程を有し、
前記制御工程はさらに、
前記ガイド情報のバージョンアップデータを記録するバージョンアップデータ記録手段から前記バージョンアップデータを読み込むバージョンアップデータ読み込み工程と、
前記バージョンアップデータ読み込み工程で読み込まれたバージョンアップデータの書き込み対象となるガイド情報を検索するガイド情報検索工程と、
前記ガイド情報検索工程にて検索されたガイド情報とユーザ情報とのリンク情報を検索するリンク情報検索工程と、
前記バージョンアップデータ読み込み工程で読み込まれたバージョンアップデータを前記ガイド情報検索工程で検索されたガイド情報に書き込むバージョンアップデータ書き込み工程と、
前記リンク情報検索工程にて検索されたリンク情報の一時的な退避先となるリンク情報記憶手段にリンク情報を一時的に退避すると共に退避したリンク情報を元に戻すために前記リンク情報記憶手段から移動するリンク情報移動工程とを備え、
前記バージョンアップデータ読み込み工程により、前記ガイド情報のバージョンアップデータを読み込んだ場合、前記ガイド情報検索工程に先のバージョンの前記ガイド情報を検索させ、
前記ガイド情報検索工程が前記先のバージョンの前記ガイド情報を検索した場合は、前記リンク情報検索工程に前記ガイド情報と前記ユーザ情報との間の前記リンク情報の有無を検索させ、
前記リンク情報検索工程にて前記リンク情報の有を検索した場合は、前記リンク情報移動工程により前記リンク情報を前記リンク情報記憶手段へ退避させ、
前記バージョンアップデータ書き込み工程が前記ガイド情報のバージョンアップデータを前記ガイド情報に書き込んだ後に、前記リンク情報移動工程により前記リンク情報記憶手段から前記リンク情報を元に移動させること
を特徴とする情報処理方法。
【請求項１３】
目的地や目的施設に関する文字、画像及び地図データからなる、ベンダー側提供のガイド情報を処理する情報処理装置の制御手段が実行する情報処理プログラムにおいて、
前記ガイド情報を表示する表示手段に前記ガイド情報の他、ユーザが記録したユーザ情報を関連付けて表示させる前記情報処理装置の制御手段によりさらに実行される、
前記ガイド情報のバージョンアップデータを記録するバージョンアップデータ記録手段から前記バージョンアップデータを読み込むバージョンアップデータ読み込み工程と、
前記バージョンアップデータ読み込み手段で読み込まれたバージョンアップデータの書き込み対象となるガイド情報を検索するガイド情報検索工程と、
前記ガイド情報検索工程にて検索されたガイド情報とユーザ情報とのリンク情報を検索するリンク情報検索工程と、
前記バージョンアップデータ読み込み手段で読み込まれたバージョンアップデータを前記ガイド情報検索工程で検索されたガイド情報に書き込むバージョンアップデータ書き込み工程と、
前記リンク情報検索工程にて検索されたリンク情報の一時的な退避先となるリンク情報記憶手段にリンク情報を一時的に退避すると共に退避したリンク情報を元に戻すために前記リンク情報記憶手段から移動するリンク情報移動工程とを備え、
前記バージョンアップデータ読み込み工程により、前記ガイド情報のバージョンアップデータを読み込んだ場合、前記ガイド情報検索工程に先のバージョンの前記ガイド情報を検索させ、
前記ガイド情報検索工程が前記先のバージョンの前記ガイド情報を検索した場合は、前記リンク情報検索工程に前記ガイド情報と前記ユーザ情報との間の前記リンク情報の有無を検索させ、
前記リンク情報検索工程にて前記リンク情報の有を検索した場合は、前記リンク情報移動工程により前記リンク情報を前記リンク情報記憶手段へ退避させ、
前記バージョンアップデータ書き込み工程が前記ガイド情報のバージョンアップデータを前記ガイド情報に書き込んだ後に、前記リンク情報移動工程により前記リンク情報記憶手段から前記リンク情報を元に移動させること
を特徴とする情報処理プログラム。
【請求項１４】
前記制御手段によってさらに実行される、少なくとも前記ガイド情報と、選択的に前記ガイド情報に関連したユーザ情報とを記録している記録媒体から、前記ユーザ情報の有無をチェックするチェック工程と、前記チェック工程によるユーザ情報の有無の結果に応じて前記表示手段に前記ガイド情報のみ、又は前記ガイド情報とユーザ情報とを表示する工程とを備えることを特徴とする請求項１３記載の情報処理プログラム。
【請求項１５】
目的地や目的施設に関する文字、画像及び地図データからなる、ベンダー側提供のガイド情報を処理する情報処理装置の制御手段が実行する情報処理プログラムにおいて、
前記ガイド情報を表示する表示手段に、前記画像からなるガイド情報をユーザによる撮影画像に置き換えて表示させる前記情報処理装置の制御手段によりさらに実行される、
前記ガイド情報のバージョンアップデータを記録するバージョンアップデータ記録手段から前記バージョンアップデータを読み込むバージョンアップデータ読み込み工程と、
前記バージョンアップデータ読み込み工程で読み込まれたバージョンアップデータの書き込み対象となるガイド情報を検索するガイド情報検索工程と、
前記ガイド情報検索工程にて検索されたガイド情報とユーザ情報とのリンク情報を検索するリンク情報検索工程と、
前記バージョンアップデータ読み込み工程で読み込まれたバージョンアップデータを前記ガイド情報検索工程で検索されたガイド情報に書き込むバージョンアップデータ書き込み工程と、
前記リンク情報検索工程にて検索されたリンク情報の一時的な退避先となるリンク情報記憶手段にリンク情報を一時的に退避すると共に退避したリンク情報を元に戻すために前記リンク情報記憶手段から移動するリンク情報移動工程とを備え、
前記バージョンアップデータ読み込み工程により、前記ガイド情報のバージョンアップデータを読み込んだ場合、前記ガイド情報検索工程に先のバージョンの前記ガイド情報を検索させ、
前記ガイド情報検索工程が前記先のバージョンの前記ガイド情報を検索した場合は、前記リンク情報検索工程に前記ガイド情報と前記ユーザ情報との間の前記リンク情報の有無を検索させ、
前記リンク情報検索工程にて前記リンク情報の有を検索した場合は、前記リンク情報移動工程により前記リンク情報を前記リンク情報記憶手段へ退避させ、
前記バージョンアップデータ書き込み工程が前記ガイド情報のバージョンアップデータを前記ガイド情報に書き込んだ後に、前記リンク情報移動工程により前記リンク情報記憶手段から前記リンク情報を元に移動させること
を特徴とする情報処理プログラム。
【請求項１６】
目的地や目的施設に関する文字、画像及び地図データからなる、ベンダー側提供のガイド情報を処理する情報処理装置の制御手段が実行する情報処理プログラムにおいて、
前記ガイド情報を表示する表示手段に、現在位置を測定して得られた測位情報に応じた現在位置マークと前記目的地や目的施設までの経路を表示させる前記情報処理装置の制御手段によりさらに実行される、
前記ガイド情報のバージョンアップデータを記録するバージョンアップデータ記録手段から前記バージョンアップデータを読み込むバージョンアップデータ読み込み工程と、
前記バージョンアップデータ読み込み工程で読み込まれたバージョンアップデータの書き込み対象となるガイド情報を検索するガイド情報検索工程と、
前記ガイド情報検索工程にて検索されたガイド情報とユーザ情報とのリンク情報を検索するリンク情報検索工程と、
前記バージョンアップデータ読み込み工程で読み込まれたバージョンアップデータを前記ガイド情報検索工程で検索されたガイド情報に書き込むバージョンアップデータ書き込み工程と、
前記リンク情報検索工程にて検索されたリンク情報の一時的な退避先となるリンク情報記憶手段にリンク情報を一時的に退避すると共に退避したリンク情報を元に戻すために前記リンク情報記憶手段から移動するリンク情報移動工程とを備え、
前記バージョンアップデータ読み込み工程により、前記ガイド情報のバージョンアップデータを読み込んだ場合、前記ガイド情報検索工程に先のバージョンの前記ガイド情報を検索させ、
前記ガイド情報検索工程が前記先のバージョンの前記ガイド情報を検索した場合は、前記リンク情報検索工程に前記ガイド情報と前記ユーザ情報との間の前記リンク情報の有無を検索させ、
前記リンク情報検索工程にて前記リンク情報の有を検索した場合は、前記リンク情報移動工程により前記リンク情報を前記リンク情報記憶手段へ退避させ、
前記バージョンアップデータ書き込み工程が前記ガイド情報のバージョンアップデータを前記ガイド情報に書き込んだ後に、前記リンク情報移動工程により前記リンク情報記憶手段から前記リンク情報を元に移動させること
を特徴とする情報処理プログラム。
【請求項１７】
目的地や目的施設に関する文字、画像及び地図データからなる、ベンダー側提供のガイド情報を処理する情報処理装置の制御手段が実行する情報処理プログラムにおいて、
前記ガイド情報の他、ユーザが記録したユーザ情報を記録媒体に保存、又は外部に出力させる前記情報処理装置の制御手段によりさらに実行される、
前記ガイド情報のバージョンアップデータを記録するバージョンアップデータ記録手段から前記バージョンアップデータを読み込むバージョンアップデータ読み込み工程と、
前記バージョンアップデータ読み込み工程で読み込まれたバージョンアップデータの書き込み対象となるガイド情報を検索するガイド情報検索工程と、
前記ガイド情報検索工程にて検索されたガイド情報とユーザ情報とのリンク情報を検索するリンク情報検索工程と、
前記バージョンアップデータ読み込み工程で読み込まれたバージョンアップデータを前記ガイド情報検索工程で検索されたガイド情報に書き込むバージョンアップデータ書き込み工程と、
前記リンク情報検索工程にて検索されたリンク情報の一時的な退避先となるリンク情報記憶手段にリンク情報を一時的に退避すると共に退避したリンク情報を元に戻すために前記リンク情報記憶手段から移動するリンク情報移動工程とを備え、
前記バージョンアップデータ読み込み工程により、前記ガイド情報のバージョンアップデータを読み込んだ場合、前記ガイド情報検索工程に先のバージョンの前記ガイド情報を検索させ、
前記ガイド情報検索工程が前記先のバージョンの前記ガイド情報を検索した場合は、前記リンク情報検索工程に前記ガイド情報と前記ユーザ情報との間の前記リンク情報の有無を検索させ、
前記リンク情報検索工程にて前記リンク情報の有を検索した場合は、前記リンク情報移動工程により前記リンク情報を前記リンク情報記憶手段へ退避させ、
前記バージョンアップデータ書き込み工程が前記ガイド情報のバージョンアップデータを前記ガイド情報に書き込んだ後に、前記リンク情報移動工程により前記リンク情報記憶手段から前記リンク情報を元に移動させること
を特徴とする情報処理プログラム。
【発明の詳細な説明】
【０００１】
【発明の属する技術分野】
本発明は、旅行、イベント鑑賞，観覧などの対象となる目的施設、場所等に関する文字による解説情報や、経路，交通手段に関する情報、地図，写真などの画像情報、さらには目的施設、場所周辺で使用される言語に関する言語情報等の様々なガイド情報を電子的に処理する情報処理装置及び情報処理方法に関する。また、前記情報処理装置であるハードウェアにより実行される情報処理プログラムに関する。
【０００２】
【従来の技術】
従来、旅行に行く際には、分厚い本の旅行ガイドブックと辞書や会話集などを何冊も持ち歩かなくてはならなかった。また、旅行する際のツールとして、携帯端末に道路地図を表示し、ナビゲーションする機器は存在するが、カーナビゲーション装置のように、地図に現在地などが表示されるものであった。
【０００３】
また、読むだけの電子旅行ガイドブックは存在するが、それに現在地が表示されたり、口コミ情報や友人から聞いた情報をＰＯＩ（Point Of Interest）の形で取り込めるような電子旅行ガイドブックは存在していなかった。更に、自分で撮影した写真と連携して楽しむことができるようなものは存在していなかった。
【０００４】
【発明が解決しようとする課題】
本発明は、前記実情に鑑みてなされたものであり、目的地や目的施設に関する文字、画像及び地図データからなる、ベンダー側提供のガイド情報にユーザが記録したテキストや画像からなるユーザ情報を関連付けて表示することのできる情報処理装置及び情報処理方法並びに情報処理プログラムの提供を目的とする。
【０００５】
また、本発明は、目的地や目的施設に関する文字、画像及び地図データからなる、ベンダー側提供のガイド情報の他、さらに自分の現在位置や経路を表示することのできる情報処理装置及び情報処理方法並びに情報処理プログラムの提供を目的とする。
【０００６】
また、本発明は、目的地や目的施設に関する文字、画像及び地図データからなる、ベンダー側提供のガイド情報の他、ユーザが記録したテキストや画像からなるユーザ情報を関連付けて記録、又は出力することのできる情報処理装置及び情報処理方法並びに情報処理プログラムの提供を目的とする。
【０００７】
【課題を解決するための手段】
本発明に係る情報処理装置は、前記課題を解決するために、目的地や目的施設に関する文字、画像及び地図データからなる、ベンダー側提供のガイド情報を処理する情報処理装置において、前記ガイド情報を表示する表示手段と、前記表示手段に前記ガイド情報の他、ユーザが記録したユーザ情報を関連付けて表示させる制御手段と、前記ガイド情報のバージョンアップデータを記録するバージョンアップデータ記録手段と、前記バージョンアップデータ記録手段から前記バージョンアップデータを読み込むバージョンアップデータ読み込み手段と、前記バージョンアップデータ読み込み手段で読み込まれたバージョンアップデータの書き込み対象となるガイド情報を検索するガイド情報検索手段と、前記ガイド情報検索手段にて検索されたガイド情報とユーザ情報とのリンク情報を検索するリンク情報検索手段と、前記バージョンアップデータ読み込み手段で読み込まれたバージョンアップデータを前記ガイド情報検索手段で検索されたガイド情報に書き込むバージョンアップデータ書き込み手段と、前記リンク情報検索手段にて検索されたリンク情報の一時的な退避先となるリンク情報記憶手段と、前記リンク情報記憶手段にリンク情報を一時的に退避すると共に退避したリンク情報を元に戻すために前記リンク情報記憶手段から移動するリンク情報移動手段とを備え、前記バージョンアップデータ読み込み手段により、前記ガイド情報のバージョンアップデータを読み込んだ場合、前記ガイド情報検索手段に先のバージョンの前記ガイド情報を検索させ、前記ガイド情報検索手段が前記先のバージョンの前記ガイド情報を検索した場合は、前記リンク情報検索手段に前記ガイド情報と前記ユーザ情報との間の前記リンク情報の有無を検索させ、前記リンク情報検索手段にて前記リンク情報の有を検索した場合は、前記リンク情報移動手段により前記リンク情報を前記リンク情報記憶手段へ退避させ、前記バージョンアップデータ書き込み手段が前記ガイド情報のバージョンアップデータを前記ガイド情報に書き込んだ後に、前記リンク情報移動手段により前記リンク情報記憶手段から前記リンク情報を元に移動させる。
【０００８】
また、本発明に係る情報処理装置は、前記課題を解決するために、目的地や目的施設に関する文字、画像及び地図データからなる、ベンダー側提供のガイド情報を処理する情報処理装置において、前記ガイド情報を表示する表示手段と、前記画像からなるガイド情報をユーザによる撮影画像に置き換えて前記表示手段に表示させる制御手段と、前記ガイド情報のバージョンアップデータを記録するバージョンアップデータ記録手段と、前記バージョンアップデータ記録手段から前記バージョンアップデータを読み込むバージョンアップデータ読み込み手段と、前記バージョンアップデータ読み込み手段で読み込まれたバージョンアップデータの書き込み対象となるガイド情報を検索するガイド情報検索手段と、前記ガイド情報検索手段にて検索されたガイド情報とユーザ情報とのリンク情報を検索するリンク情報検索手段と、前記バージョンアップデータ読み込み手段で読み込まれたバージョンアップデータを前記ガイド情報検索手段で検索されたガイド情報に書き込むバージョンアップデータ書き込み手段と、前記リンク情報検索手段にて検索されたリンク情報の一時的な退避先となるリンク情報記憶手段と、前記リンク情報記憶手段にリンク情報を一時的に退避すると共に退避したリンク情報を元に戻すために前記リンク情報記憶手段から移動するリンク情報移動手段とを備え、前記バージョンアップデータ読み込み手段により、前記ガイド情報のバージョンアップデータを読み込んだ場合、前記ガイド情報検索手段に先のバージョンの前記ガイド情報を検索させ、前記ガイド情報検索手段が前記先のバージョンの前記ガイド情報を検索した場合は、前記リンク情報検索手段に前記ガイド情報と前記ユーザ情報との間の前記リンク情報の有無を検索させ、前記リンク情報検索手段にて前記リンク情報の有を検索した場合は、前記リンク情報移動手段により前記リンク情報を前記リンク情報記憶手段へ退避させ、前記バージョンアップデータ書き込み手段が前記ガイド情報のバージョンアップデータを前記ガイド情報に書き込んだ後に、前記リンク情報移動手段により前記リンク情報記憶手段から前記リンク情報を元に移動させる。
【０００９】
また、本発明に係る情報処理装置は、前記課題を解決するために、目的地や目的施設に関する文字、画像及び地図データからなる、ベンダー側提供のガイド情報を処理する情報処理装置において、前記ガイド情報を表示する表示手段と、現在位置を測定して得られた測位情報に応じた現在位置マークと前記目的地や目的施設までの経路を前記表示手段に表示させる制御手段と、前記ガイド情報のバージョンアップデータを記録するバージョンアップデータ記録手段と、前記バージョンアップデータ記録手段から前記バージョンアップデータを読み込むバージョンアップデータ読み込み手段と、前記バージョンアップデータ読み込み手段で読み込まれたバージョンアップデータの書き込み対象となるガイド情報を検索するガイド情報検索手段と、前記ガイド情報検索手段にて検索されたガイド情報とユーザ情報とのリンク情報を検索するリンク情報検索手段と、前記バージョンアップデータ読み込み手段で読み込まれたバージョンアップデータを前記ガイド情報検索手段で検索されたガイド情報に書き込むバージョンアップデータ書き込み手段と、前記リンク情報検索手段にて検索されたリンク情報の一時的な退避先となるリンク情報記憶手段と、前記リンク情報記憶手段にリンク情報を一時的に退避すると共に退避したリンク情報を元に戻すために前記リンク情報記憶手段から移動するリンク情報移動手段とを備え、前記バージョンアップデータ読み込み手段により、前記ガイド情報のバージョンアップデータを読み込んだ場合、前記ガイド情報検索手段に先のバージョンの前記ガイド情報を検索させ、前記ガイド情報検索手段が前記先のバージョンの前記ガイド情報を検索した場合は、前記リンク情報検索手段に前記ガイド情報と前記ユーザ情報との間の前記リンク情報の有無を検索させ、前記リンク情報検索手段にて前記リンク情報の有を検索した場合は、前記リンク情報移動手段により前記リンク情報を前記リンク情報記憶手段へ退避させ、前記バージョンアップデータ書き込み手段が前記ガイド情報のバージョンアップデータを前記ガイド情報に書き込んだ後に、前記リンク情報移動手段により前記リンク情報記憶手段から前記リンク情報を元に移動させる。
【００１０】
また、本発明に係る情報処理装置は、前記課題を解決するために、目的地や目的施設に関する文字、画像及び地図データからなる、ベンダー側提供のガイド情報を処理する情報処理装置において、前記ガイド情報の他、ユーザが記録したユーザ情報を記録媒体に保存、又は外部に出力させる制御手段と、前記ガイド情報のバージョンアップデータを記録するバージョンアップデータ記録手段と、前記バージョンアップデータ記録手段から前記バージョンアップデータを読み込むバージョンアップデータ読み込み手段と、前記バージョンアップデータ読み込み手段で読み込まれたバージョンアップデータの書き込み対象となるガイド情報を検索するガイド情報検索手段と、前記ガイド情報検索手段にて検索されたガイド情報とユーザ情報とのリンク情報を検索するリンク情報検索手段と、前記バージョンアップデータ読み込み手段で読み込まれたバージョンアップデータを前記ガイド情報検索手段で検索されたガイド情報に書き込むバージョンアップデータ書き込み手段と、前記リンク情報検索手段にて検索されたリンク情報の一時的な退避先となるリンク情報記憶手段と、前記リンク情報記憶手段にリンク情報を一時的に退避すると共に退避したリンク情報を元に戻すために前記リンク情報記憶手段から移動するリンク情報移動手段とを備え、前記バージョンアップデータ読み込み手段により、前記ガイド情報のバージョンアップデータを読み込んだ場合、前記ガイド情報検索手段に先のバージョンの前記ガイド情報を検索させ、前記ガイド情報検索手段が前記先のバージョンの前記ガイド情報を検索した場合は、前記リンク情報検索手段に前記ガイド情報と前記ユーザ情報との間の前記リンク情報の有無を検索させ、前記リンク情報検索手段にて前記リンク情報の有を検索した場合は、前記リンク情報移動手段により前記リンク情報を前記リンク情報記憶手段へ退避させ、前記バージョンアップデータ書き込み手段が前記ガイド情報のバージョンアップデータを前記ガイド情報に書き込んだ後に、前記リンク情報移動手段により前記リンク情報記憶手段から前記リンク情報を元に移動させる。
【００１１】
本発明に係る情報処理方法は、前記課題を解決するために、目的地や目的施設に関する文字、画像及び地図データからなる、ベンダー側提供のガイド情報を処理するための情報処理方法において、前記ガイド情報を表示する表示手段に前記ガイド情報の他、ユーザが記録したユーザ情報を関連付けて表示させる制御工程を有し、前記制御工程はさらに、前記ガイド情報のバージョンアップデータを記録するバージョンアップデータ記録手段から前記バージョンアップデータを読み込むバージョンアップデータ読み込み工程と、前記バージョンアップデータ読み込み手段で読み込まれたバージョンアップデータの書き込み対象となるガイド情報を検索するガイド情報検索工程と、前記ガイド情報検索工程にて検索されたガイド情報とユーザ情報とのリンク情報を検索するリンク情報検索工程と、前記バージョンアップデータ読み込み手段で読み込まれたバージョンアップデータを前記ガイド情報検索工程で検索されたガイド情報に書き込むバージョンアップデータ書き込み工程と、前記リンク情報検索工程にて検索されたリンク情報の一時的な退避先となるリンク情報記憶手段にリンク情報を一時的に退避すると共に退避したリンク情報を元に戻すために前記リンク情報記憶手段から移動するリンク情報移動工程とを備え、前記バージョンアップデータ読み込み工程により、前記ガイド情報のバージョンアップデータを読み込んだ場合、前記ガイド情報検索工程に先のバージョンの前記ガイド情報を検索させ、前記ガイド情報検索工程が前記先のバージョンの前記ガイド情報を検索した場合は、前記リンク情報検索工程に前記ガイド情報と前記ユーザ情報との間の前記リンク情報の有無を検索させ、前記リンク情報検索工程にて前記リンク情報の有を検索した場合は、前記リンク情報移動工程により前記リンク情報を前記リンク情報記憶手段へ退避させ、前記バージョンアップデータ書き込み工程が前記ガイド情報のバージョンアップデータを前記ガイド情報に書き込んだ後に、前記リンク情報移動工程により前記リンク情報記憶手段から前記リンク情報を元に移動させる。
【００１２】
また、本発明に係る情報処理方法は、前記課題を解決するために、目的地や目的施設に関する文字、画像及び地図データからなる、ベンダー側提供のガイド情報を処理するための情報処理方法において、前記ガイド情報を表示する表示手段に、前記画像からなるガイド情報をユーザによる撮影画像に置き換えて表示させる制御工程を有し、前記制御工程はさらに、前記ガイド情報のバージョンアップデータを記録するバージョンアップデータ記録手段から前記バージョンアップデータを読み込むバージョンアップデータ読み込み工程と、前記バージョンアップデータ読み込み工程で読み込まれたバージョンアップデータの書き込み対象となるガイド情報を検索するガイド情報検索工程と、前記ガイド情報検索工程にて検索されたガイド情報とユーザ情報とのリンク情報を検索するリンク情報検索工程と、前記バージョンアップデータ読み込み工程で読み込まれたバージョンアップデータを前記ガイド情報検索工程で検索されたガイド情報に書き込むバージョンアップデータ書き込み工程と、前記リンク情報検索工程にて検索されたリンク情報の一時的な退避先となるリンク情報記憶手段にリンク情報を一時的に退避すると共に退避したリンク情報を元に戻すために前記リンク情報記憶手段から移動するリンク情報移動工程とを備え、前記バージョンアップデータ読み込み工程により、前記ガイド情報のバージョンアップデータを読み込んだ場合、前記ガイド情報検索工程に先のバージョンの前記ガイド情報を検索させ、前記ガイド情報検索工程が前記先のバージョンの前記ガイド情報を検索した場合は、前記リンク情報検索工程に前記ガイド情報と前記ユーザ情報との間の前記リンク情報の有無を検索させ、前記リンク情報検索工程にて前記リンク情報の有を検索した場合は、前記リンク情報移動工程により前記リンク情報を前記リンク情報記憶手段へ退避させ、前記バージョンアップデータ書き込み工程が前記ガイド情報のバージョンアップデータを前記ガイド情報に書き込んだ後に、前記リンク情報移動工程により前記リンク情報記憶手段から前記リンク情報を元に移動させる。
【００１３】
また、本発明に係る情報処理方法は、前記課題を解決するために、目的地や目的施設に関する文字、画像及び地図データからなる、ベンダー側提供のガイド情報を処理するための情報処理方法において、前記ガイド情報を表示する表示手段に、現在位置を測定して得られた測位情報に応じた現在位置マークと前記目的地や目的施設までの経路を表示させる制御工程を有し、前記制御工程はさらに、前記ガイド情報のバージョンアップデータを記録するバージョンアップデータ記録手段から前記バージョンアップデータを読み込むバージョンアップデータ読み込み工程と、前記バージョンアップデータ読み込み工程で読み込まれたバージョンアップデータの書き込み対象となるガイド情報を検索するガイド情報検索工程と、前記ガイド情報検索工程にて検索されたガイド情報とユーザ情報とのリンク情報を検索するリンク情報検索工程と、前記バージョンアップデータ読み込み工程で読み込まれたバージョンアップデータを前記ガイド情報検索工程で検索されたガイド情報に書き込むバージョンアップデータ書き込み工程と、前記リンク情報検索工程にて検索されたリンク情報の一時的な退避先となるリンク情報記憶手段にリンク情報を一時的に退避すると共に退避したリンク情報を元に戻すために前記リンク情報記憶手段から移動するリンク情報移動工程とを備え、前記バージョンアップデータ読み込み工程により、前記ガイド情報のバージョンアップデータを読み込んだ場合、前記ガイド情報検索工程に先のバージョンの前記ガイド情報を検索させ、前記ガイド情報検索工程が前記先のバージョンの前記ガイド情報を検索した場合は、前記リンク情報検索工程に前記ガイド情報と前記ユーザ情報との間の前記リンク情報の有無を検索させ、前記リンク情報検索工程にて前記リンク情報の有を検索した場合は、前記リンク情報移動工程により前記リンク情報を前記リンク情報記憶手段へ退避させ、前記バージョンアップデータ書き込み工程が前記ガイド情報のバージョンアップデータを前記ガイド情報に書き込んだ後に、前記リンク情報移動工程により前記リンク情報記憶手段から前記リンク情報を元に移動させる。
【００１４】
また、本発明に係る情報処理方法は、前記課題を解決するために、目的地や目的施設に関する文字、画像及び地図データからなる、ベンダー側提供のガイド情報を処理するための情報処理方法において、前記ガイド情報の他、ユーザが記録したユーザ情報を記録媒体に保存、又は外部に出力させる制御工程を有し、前記制御工程はさらに、前記ガイド情報のバージョンアップデータを記録するバージョンアップデータ記録手段から前記バージョンアップデータを読み込むバージョンアップデータ読み込み工程と、前記バージョンアップデータ読み込み工程で読み込まれたバージョンアップデータの書き込み対象となるガイド情報を検索するガイド情報検索工程と、前記ガイド情報検索工程にて検索されたガイド情報とユーザ情報とのリンク情報を検索するリンク情報検索工程と、前記バージョンアップデータ読み込み工程で読み込まれたバージョンアップデータを前記ガイド情報検索工程で検索されたガイド情報に書き込むバージョンアップデータ書き込み工程と、前記リンク情報検索工程にて検索されたリンク情報の一時的な退避先となるリンク情報記憶手段にリンク情報を一時的に退避すると共に退避したリンク情報を元に戻すために前記リンク情報記憶手段から移動するリンク情報移動工程とを備え、前記バージョンアップデータ読み込み工程により、前記ガイド情報のバージョンアップデータを読み込んだ場合、前記ガイド情報検索工程に先のバージョンの前記ガイド情報を検索させ、前記ガイド情報検索工程が前記先のバージョンの前記ガイド情報を検索した場合は、前記リンク情報検索工程に前記ガイド情報と前記ユーザ情報との間の前記リンク情報の有無を検索させ、前記リンク情報検索工程にて前記リンク情報の有を検索した場合は、前記リンク情報移動工程により前記リンク情報を前記リンク情報記憶手段へ退避させ、前記バージョンアップデータ書き込み工程が前記ガイド情報のバージョンアップデータを前記ガイド情報に書き込んだ後に、前記リンク情報移動工程により前記リンク情報記憶手段から前記リンク情報を元に移動させる。
【００１５】
本発明に係る情報処理プログラムは、前記課題を解決するために、目的地や目的施設に関する文字、画像及び地図データからなる、ベンダー側提供のガイド情報を処理する情報処理装置の制御手段が実行する情報処理プログラムにおいて、前記ガイド情報を表示する表示手段に前記ガイド情報の他、ユーザが記録したユーザ情報を関連付けて表示させる前記情報処理装置の制御手段によりさらに実行される、前記ガイド情報のバージョンアップデータを記録するバージョンアップデータ記録手段から前記バージョンアップデータを読み込むバージョンアップデータ読み込み工程と、前記バージョンアップデータ読み込み手段で読み込まれたバージョンアップデータの書き込み対象となるガイド情報を検索するガイド情報検索工程と、前記ガイド情報検索工程にて検索されたガイド情報とユーザ情報とのリンク情報を検索するリンク情報検索工程と、前記バージョンアップデータ読み込み手段で読み込まれたバージョンアップデータを前記ガイド情報検索工程で検索されたガイド情報に書き込むバージョンアップデータ書き込み工程と、前記リンク情報検索工程にて検索されたリンク情報の一時的な退避先となるリンク情報記憶手段にリンク情報を一時的に退避すると共に退避したリンク情報を元に戻すために前記リンク情報記憶手段から移動するリンク情報移動工程とを備え、前記バージョンアップデータ読み込み工程により、前記ガイド情報のバージョンアップデータを読み込んだ場合、前記ガイド情報検索工程に先のバージョンの前記ガイド情報を検索させ、前記ガイド情報検索工程が前記先のバージョンの前記ガイド情報を検索した場合は、前記リンク情報検索工程に前記ガイド情報と前記ユーザ情報との間の前記リンク情報の有無を検索させ、前記リンク情報検索工程にて前記リンク情報の有を検索した場合は、前記リンク情報移動工程により前記リンク情報を前記リンク情報記憶手段へ退避させ、前記バージョンアップデータ書き込み工程が前記ガイド情報のバージョンアップデータを前記ガイド情報に書き込んだ後に、前記リンク情報移動工程により前記リンク情報記憶手段から前記リンク情報を元に移動させる。
【００１６】
また、本発明に係る情報処理プログラムは、前記課題を解決するために、目的地や目的施設に関する文字、画像及び地図データからなる、ベンダー側提供のガイド情報を処理する情報処理装置の制御手段が実行する情報処理プログラムにおいて、前記ガイド情報を表示する表示手段に、前記画像からなるガイド情報をユーザによる撮影画像に置き換えて表示させる前記情報処理装置の制御手段によりさらに実行される、前記ガイド情報のバージョンアップデータを記録するバージョンアップデータ記録手段から前記バージョンアップデータを読み込むバージョンアップデータ読み込み工程と、前記バージョンアップデータ読み込み工程で読み込まれたバージョンアップデータの書き込み対象となるガイド情報を検索するガイド情報検索工程と、前記ガイド情報検索工程にて検索されたガイド情報とユーザ情報とのリンク情報を検索するリンク情報検索工程と、前記バージョンアップデータ読み込み工程で読み込まれたバージョンアップデータを前記ガイド情報検索工程で検索されたガイド情報に書き込むバージョンアップデータ書き込み工程と、前記リンク情報検索工程にて検索されたリンク情報の一時的な退避先となるリンク情報記憶手段にリンク情報を一時的に退避すると共に退避したリンク情報を元に戻すために前記リンク情報記憶手段から移動するリンク情報移動工程とを備え、前記バージョンアップデータ読み込み工程により、前記ガイド情報のバージョンアップデータを読み込んだ場合、前記ガイド情報検索工程に先のバージョンの前記ガイド情報を検索させ、前記ガイド情報検索工程が前記先のバージョンの前記ガイド情報を検索した場合は、前記リンク情報検索工程に前記ガイド情報と前記ユーザ情報との間の前記リンク情報の有無を検索させ、前記リンク情報検索工程にて前記リンク情報の有を検索した場合は、前記リンク情報移動工程により前記リンク情報を前記リンク情報記憶手段へ退避させ、前記バージョンアップデータ書き込み工程が前記ガイド情報のバージョンアップデータを前記ガイド情報に書き込んだ後に、前記リンク情報移動工程により前記リンク情報記憶手段から前記リンク情報を元に移動させる。
【００１７】
また、本発明に係る情報処理プログラムは、前記課題を解決するために、目的地や目的施設に関する文字、画像及び地図データからなる、ベンダー側提供のガイド情報を処理する情報処理装置の制御手段が実行する情報処理プログラムにおいて、前記ガイド情報を表示する表示手段に、現在位置を測定して得られた測位情報に応じた現在位置マークと前記目的地や目的施設までの経路を表示させる前記情報処理装置の制御手段によりさらに実行される、前記ガイド情報のバージョンアップデータを記録するバージョンアップデータ記録手段から前記バージョンアップデータを読み込むバージョンアップデータ読み込み工程と、前記バージョンアップデータ読み込み工程で読み込まれたバージョンアップデータの書き込み対象となるガイド情報を検索するガイド情報検索工程と、前記ガイド情報検索工程にて検索されたガイド情報とユーザ情報とのリンク情報を検索するリンク情報検索工程と、前記バージョンアップデータ読み込み工程で読み込まれたバージョンアップデータを前記ガイド情報検索工程で検索されたガイド情報に書き込むバージョンアップデータ書き込み工程と、前記リンク情報検索工程にて検索されたリンク情報の一時的な退避先となるリンク情報記憶手段にリンク情報を一時的に退避すると共に退避したリンク情報を元に戻すために前記リンク情報記憶手段から移動するリンク情報移動工程とを備え、前記バージョンアップデータ読み込み工程により、前記ガイド情報のバージョンアップデータを読み込んだ場合、前記ガイド情報検索工程に先のバージョンの前記ガイド情報を検索させ、前記ガイド情報検索工程が前記先のバージョンの前記ガイド情報を検索した場合は、前記リンク情報検索工程に前記ガイド情報と前記ユーザ情報との間の前記リンク情報の有無を検索させ、前記リンク情報検索工程にて前記リンク情報の有を検索した場合は、前記リンク情報移動工程により前記リンク情報を前記リンク情報記憶手段へ退避させ、前記バージョンアップデータ書き込み工程が前記ガイド情報のバージョンアップデータを前記ガイド情報に書き込んだ後に、前記リンク情報移動工程により前記リンク情報記憶手段から前記リンク情報を元に移動させる。
【００１８】
また、本発明に係る情報処理プログラムは、前記課題を解決するために、目的地や目的施設に関する文字、画像及び地図データからなる、ベンダー側提供のガイド情報を処理する情報処理装置の制御手段が実行する情報処理プログラムにおいて、前記ガイド情報の他、ユーザが記録したユーザ情報を記録媒体に保存、又は外部に出力させる前記情報処理装置の制御手段によりさらに実行される、前記ガイド情報のバージョンアップデータを記録するバージョンアップデータ記録手段から前記バージョンアップデータを読み込むバージョンアップデータ読み込み工程と、前記バージョンアップデータ読み込み工程で読み込まれたバージョンアップデータの書き込み対象となるガイド情報を検索するガイド情報検索工程と、前記ガイド情報検索工程にて検索されたガイド情報とユーザ情報とのリンク情報を検索するリンク情報検索工程と、前記バージョンアップデータ読み込み工程で読み込まれたバージョンアップデータを前記ガイド情報検索工程で検索されたガイド情報に書き込むバージョンアップデータ書き込み工程と、前記リンク情報検索工程にて検索されたリンク情報の一時的な退避先となるリンク情報記憶手段にリンク情報を一時的に退避すると共に退避したリンク情報を元に戻すために前記リンク情報記憶手段から移動するリンク情報移動工程とを備え、前記バージョンアップデータ読み込み工程により、前記ガイド情報のバージョンアップデータを読み込んだ場合、前記ガイド情報検索工程に先のバージョンの前記ガイド情報を検索させ、前記ガイド情報検索工程が前記先のバージョンの前記ガイド情報を検索した場合は、前記リンク情報検索工程に前記ガイド情報と前記ユーザ情報との間の前記リンク情報の有無を検索させ、前記リンク情報検索工程にて前記リンク情報の有を検索した場合は、前記リンク情報移動工程により前記リンク情報を前記リンク情報記憶手段へ退避させ、前記バージョンアップデータ書き込み工程が前記ガイド情報のバージョンアップデータを前記ガイド情報に書き込んだ後に、前記リンク情報移動工程により前記リンク情報記憶手段から前記リンク情報を元に移動させる。
【００１９】
【発明の実施の形態】
以下、本発明のいくつかの実施の形態について図面を参照しながら説明する。以下に挙げるいくつかの実施の形態は、旅行、イベント観賞，観覧，訪問などの対象となる、観光地や、目的施設、場所等に関するガイド情報を表示部に表示する電子ガイド装置である。
【００２０】
ここでいうガイド情報とは、目的施設、場所等に関する解説情報や、地図，写真などの画像情報、現地，目的施設，場所周辺の気候、交通案内、海外の場合の電話のかけ方等の現地基本情報や、現地で使用される言語や辞書に関する言語情報、観光地情報やホテル・レストラン・ショップなどのＰＯＩ（Point Of Interest  地点情報）等の様々な情報のことである。これらガイド情報は、テキスト、画像（静止画、動画、地図など）、ベクター、ＰＯＩフォーマットなどの形式でデータベース化されている。その中で、特に位置を持った情報には、緯度経度情報を付加した形となっている。
【００２１】
さらには、この電子ガイド装置は、ユーザ独自の情報（以下、ユーザ情報という）を追記することもできる。このユーザ情報を前記ガイド情報と関連付けて表示することにより自分独自のユニークなガイド装置にできる。
【００２２】
ユーザ情報としては、自分で集めた情報や、口コミ情報、友人から入手した情報がある。このユーザ情報は場所に付随して書かれる場合が多いと考えられる。例えば、ガイド情報にある［○○美術館］に関連付けて☆必見☆と書き込んだり、［△△レストラン］に“お勧めは××××”とコメントを書き込んだり、新しい観光スポットやレストランなどの情報ごとに書き込む。また、場所に付随した情報ばかりでなく、緊急連絡先やパスポート番号の控えなど、旅行に必要な個人的な情報も考えられる。これらのユーザ情報は、例えばテキストファイルで書き込むことができる。もちろん、ユーザ情報としては、自分で撮影した写真等を挙げることもできる。
【００２３】
ところで、出版物としての旅行ガイドブックの内容は、年月が経過すると変化するものであり、１年に１回、もしくは数年に１回など、ある時間間隔で改訂され出版される。そして、改定時に更新される情報は、全ての情報が更新されるわけではない。ほとんどの場合、掲載されている場所に変化は無く、それぞれのコメントが変わったり、閉館時間などが変更されるだけである。名前やそれがある場所には変化は無い。
【００２４】
前記電子ガイド装置でも、同じようにデータをバージョンアップすることが考えられる。このとき、前記ユーザ情報を前記ガイド情報と一緒に変更してしまわないようにするのが本発明である。つまり、前記電子ガイド装置は、本発明に係るガイド情報変更方法に基づいたガイド情報変更プログラムをロードし実行することにより、ユーザが書き込んだ前記ユーザ情報はそのままに、ベンダー側が提供したガイド情報だけを変更する。電子ガイド装置が前記ガイド情報変更プログラムを実行して行うガイド情報変更処理の詳細は後述する。
【００２５】
先ず、図１〜図４を参照して、電子ガイド装置１について説明する。この電子ガイド装置１は、図１に示す構成であり、ＣＰＵ２と、このＣＰＵ２に内部バス３を介して接続している、表示部４、入力部５、メモリー６、内蔵記録メディア７、外部記録メディア８を備えている。また、ＣＰＵ２には、無線通信部９が接続されている。
【００２６】
そして、ＣＰＵ２は、ガイド情報の他に、ユーザ情報も表示することができる電子ガイドプログラムを実行する。
内蔵記録メディア７は、半導体メモリーや、光ディスク，光磁気ディスク又は磁気ディスクなどのディスク状記録媒体等である。前記ガイド情報やユーザ情報を記録している。また、前記電子ガイドプログラムを記録している。
【００２７】
外部記録メディア８も、半導体メモリーや、光ディスク，光磁気ディスク又は磁気ディスクなどのディスク状記録媒体である。前記ガイド情報やユーザ情報、前記電子ガイドプログラムを記録していてもよい。
【００２８】
表示部４は、例えば液晶表示装置（ＬＣＤ）であり、画像、写真、或いは文字の前記ガイド情報や、ユーザ情報を表示する。
【００２９】
入力部５は、例えばキー操作子や、ペン入力を受け付けるパット入力部である。
【００３０】
無線通信部９は、ベースバンド処理部９ａと、ＲＦ処理部９ｂと、無線通信アンテナ９ｃからなり、他の機器から測位情報を受信する。この無線通信部９はローカル無線機能による無線技術を採用している。
【００３１】
ローカル無線機能による無線技術とは、例えば、ダイレクト・シーケンス・スペクトル拡散(Direct Sequence Spread Spectrum：ＤＳＳＳ)無線通信向けのもの等のIEEE8O2.11規格に準拠する無線ＬＡＮ(ＷＬＡＮ)通信に採用されるのと同じ２．４ＧＨｚのＩＳＭ(Industrial,Scientificand Medical)帯域を使用する無線通信のことで、ブルートゥース(Bluetooth)と称されており、一般的に１０ｍ以内の距離にある他のデバイスにデータを伝達するのに適している。
【００３２】
無線通信部９が受信する測位情報は、例えばグローバルポジショニングシステム（Global Positioning System：ＧＰＳ)を持つカーナビゲーション装置や、専用ＧＰＳ受信機、携帯電話装置から送信されてくる。すなわち、前記他の機器は、カーナビゲーション装置や、専用ＧＰＳ受信機、携帯電話装置等である。
【００３３】
もちろん、電子ガイド装置１は、前記測位情報を受信するに際して、その要求信号を前記他の機器に出す。要求信号は、ＣＰＵ２からベースバンド処理部９ａで信号処理され、ＲＦ処理部９ｂで伝送波にのせられ、無線通信アンテナ９ｃから他の機器に無線送信される。また、逆に他の機器から無線送信されてきた電波は、無線通信部９ｃで受信され、ＲＦ処理部９ｂで信号抽出され、ベースバンド処理部９ａで信号処理されてＣＰＵ２に伝えられる。
【００３４】
図２には電子ガイド装置１の表示部４上の画面表示例１０を示す。画面のタイトル表示部１０ａには目的施設の名称が、また解説表示部１０ｂには施設の解説情報がテキストデータにより表示される。特に、解説表示部１０ｂには、ガイド情報の他、テキストデータによるユーザ情報も後述するように表示される。また、画像表示部１０ｃには施設の写真やイラストが表示され、さらには地図表示部１０ｄには主要公共施設から目的施設までの経路を示す地図が表示される。地図データには、ベクター、画像等の形式にかかわらず、緯度経度が記録されているので、他の機器から入手した測位情報から、その位置を表示することができる。また、目的地の設定や、経路案内などのナビゲーションをすることも可能である。
【００３５】
次に、電子ガイド装置１の動作について図３のフローチャートと、図４の選択画面を用いて説明する。使用者が入力部４を用いて目的施設名を選択し、例えば図２の画面表示例を表示するまでの動作である。既に、電子ガイド装置１の電源はオンとされ、使用者の操作に応じて、ＣＰＵ２が前記内蔵記録メディア７又は外部記録メディア８から電子ガイドプログラムを読み出しており、今まさに、メモリー６を用いて実行を始めたばかりの状態である。
【００３６】
先ず、ステップＳ１にて入力部４を用いて使用者により施設名が図４に示すように「○△○スタジアム」として選択されると、電子ガイド装置１は、選択された施設名に関するデータベースを内蔵記録メディア７又は外部記録メディア８に参照しにいく（ステップＳ２）。
【００３７】
ステップＳ３にて、電子ガイド装置１は、データベースにユーザ情報も格納されているか否かを確認し、ユーザ情報が有る（ＹＥＳ）と判断すれば、ステップＳ４によりガイド情報、ユーザ情報を表示部４に表示する。もし、ステップＳ３にてユーザ情報は無い（ＮＯ）と判断すれば、ガイド情報のみを表示部４に表示する（ステップＳ５）。
【００３８】
これにより、使用者は、目的施設のガイド情報をテキストや、画像として見ることができると共に、自らが入力部４を用いて追記したユーザ情報をも確認することができるので、使い勝手を向上できる。すなわち、電子ガイド装置１は、使用者にとって独自のユニークなガイド装置となる。
【００３９】
次に、電子ガイド装置１が、ベンダー側が提供するガイド情報をバージョンアップするときに、前記ユーザ情報を一緒に変更してしまわないようにするガイド情報変更処理について説明する。
【００４０】
電子ガイド装置１は、前記ガイド情報と前記ユーザ情報とを分けて記録する。ガイド情報中には、前記ユーザ情報を参照させるためのリンク情報が記述される。こうすることにより、旅行ガイド情報だけのバージョンアップを容易に行うものである。
【００４１】
図５には、電子ガイド装置１のガイド情報変更処理手順を示す。ＣＰＵ２が例えば内部記録メディア７や、或いは外部記録メディア８に格納されているガイド情報変更処理プログラムを実行した際の処理手順である。なお、ここでは、外部記録メディア８にベンダー側等が容易したバージョンアップデータが記録されているとして説明を進める。
【００４２】
先ず、ステップＳ１１にて、ＣＰＵ２は外部記録メディア８からバージョンアップデータを読み込む。次に、ステップＳ２にて書き込み先を検索する。そして、検索した書き込み先に、前のバージョンのデータが有るか否かをステップＳ１３にてチェックし、有ると判定する（ＹＥＳ）と、ステップＳ１４に進みユーザ情報へのリンクが有るか否かをチェックする。リンクが有れば（ＹＥＳ）ステップＳ１５に進んで、リンク情報を一時的に記録メディアの別領域等に退避した後にステップＳ１６にてバージョンアップデータを書き込む。書き込みが終了したならば、ステップＳ１７にて退避したリンク情報をバージョンアップデータ内に書き込む。
【００４３】
一方、ステップＳ１３にて前のバージョンのデータが無いと判定すればステップＳ１８に進んで新しいデータを書き込む。また、ステップＳ１４にてユーザ情報へのリンクが無いと判定したときにも、ステップＳ１８に進んで、バージョンアップデータを書き込む。
【００４４】
これらの処理は、ステップＳ１９にて、バージョンアップデータが終了であると判断されるまで繰り返される。
【００４５】
このように前記ガイド装置１は、本発明に係るガイド情報変更方法に基づいたガイド情報変更プログラムをロードし実行することにより、ユーザが書き込んだ前記ユーザ情報はそのままに、ベンダー側が提供したガイド情報だけを変更することができる。
【００４６】
次に、第２の実施の形態について図６、図７を参照しながら説明する。この第２の実施の形態は、電子ガイド装置として使用されるデジタルカメラ３０である。このデジタルカメラ３０は、被写体を撮影し、写真画像を得ることができる。そして、この写真画像を前記ユーザ情報とし、前記ガイド情報と関連付けて表示部に表示することができる。また、このデジタルカメラ３０も、ベンダー側が提供するガイド情報をバージョンアップするときに、前記ユーザ情報を一緒に変更してしまわないようにする。
【００４７】
先ず、デジタルカメラ３０の基本的な構成、動作について説明する。図６に示す、デジタルカメラ３０のフォーカスコントロール部３５によってピント調整されたレンズ３６を用いて撮影された被写体の画像は、ＣＣＤ３７により画像信号に変換され、撮影メモリー３８にデジタル信号（画像データ）で記録される。この被写体の画像（写真イメージ）は、ＬＣＤコントロール部３９を経てＬＣＤ４０に表示され、利用者はこれを確認して、シャッター４１を押す。
【００４８】
この他、デジタルカメラ３０には、撮影した写真イメージを後述のメモリーカード５０に記録、もしくは、メモリーカード５０に記録された写真イメージを読み出すための記録読出部４５と、メモリーカードコントロール部４６がある。
【００４９】
メモリーカード５０は、近年、デジタルカメラやノート型ＰＣ（パーソナルコンピュータ）の記憶媒体として、盛んに採用されている例えばメモリースティック(登録商標)等のことで、内部には不揮発性のフラッシュメモリーが搭載され、データを保持・読出することができる。
【００５０】
また、デジタルカメラ３０は、ローカル無線通信機能を実現するローカル無線通信部３１を持ち、通信コントロール部４３を通して、データの送受信を行う。
【００５１】
さらには、デジタルカメラ３０は、内部バスを介して各部の動作を制御するＣＰＵ４２を設ける。デジタルカメラ３０が例えばナビゲーション装置に出す要求信号は、ＣＰＵ４２から通信コントロール部４３を経由し、ローカル無線通信部３１のベースバンド処理部３２で信号処理され、ＲＦ処理部３３で伝送波にのせられ、ローカル無線通信アンテナ３４からナビゲーション装置１０に無線送信される。また、逆に、ナビゲーション装置１０から無線送信されてきた電波は、ローカル無線通信アンテナ３４で受信され、ＲＦ部３３で信号抽出され、ベースバンド信号処理部３２で信号処理され、通信コントロール部４３経由でＣＰＵ４２に伝えられる。
【００５２】
また、デジタルカメラ３０は、フラッシュメモリー４４を持つ。このフラッシュメモリー４４は、通常、ＣＰＵ４２を動作させるプログラムを格納しておき、電源が入力されると自動的にプログラムが動き出すよう構成されている。デジタルカメラが高級なモデルである場合、このフラッシュメモリー４４には様々なデータを格納しておく場合が考えられる。例えば、写真の縁を飾るフレームデータや、文字表記のための文字フォントデータが保存されている。さらには、このフラッシュメモリー４４は、前記ガイド情報やユーザ情報、さらには電子ガイドプログラムを記録している。
【００５３】
このデジタルカメラ３０は、前記文字フォントデータをメモリーカード５０に保存していることもある。また、緯度経度に応じて参照される地点検索データを、フラッシュメモリー４４、もしくは、メモリーカード５０に保存することもある。さらにはメモリーカード５０は、前記ガイド情報やユーザ情報、さらには電子ガイドプログラムを記録していることもある。
【００５４】
また、このデジタルカメラ３０は、例えばキー操作子からなる入力部４７を備えており、前記ユーザ情報の入力操作を可能としている。
【００５５】
図７にはデジタルカメラ３０の外観を示す。表側４８にはレンズ３６等が配設されている。裏側４９にはＬＣＤ４０、入力部４７が配設されている。また、上面にはシャッター４１が、側面にはローカル無線通信アンテナ３４が配設されている。
【００５６】
ＬＣＤ４０の画面のタイトル表示部４０ａには目的施設の名称が、解説表示部４０ｂには施設の解説情報がテキストデータにより表示される。また、解説表示部４０ｂには、ガイド情報の他、テキストデータによるユーザ情報も表示される。また、ガイド画像表示部４０ｃにはガイド情報の一種として施設の写真やイラストが表示される。選択画像表示部４０ｄには、ユーザにより撮影された写真画像、或いはガイド画像のうちのいずれかが表示される。ここでは、ユーザにより撮影された写真画像が表示されている例を示すが、ガイド画像が表示されてもよいし、或いは主要公共施設から目的施設までの経路を示す地図が表示されてもよい。さらには、ユーザ画像表示部４０ｅにはユーザにより撮影された写真画像が表示される。
【００５７】
自分で集めた情報や口コミ情報、友人から入手した情報は、テキストデータによるユーザ情報として、備え付けられた入力部４７を用いてメモのように追記できる。また、ショップ、ホテル、レストランなどの情報などをＰＯＩフォーマットの形で追記することができる。また、友人から情報をもらうような場合に、ＰＯＩフォーマットで記録することにより、例えばメモリースティック５０のような記録媒体を用いてデータをやりとりすることもできる。メモリースティックの場合は、位置情報交換フォーマットとしてＧＬＯＲＩＥ（Global Location-related Information Exchange File Format）が定義されている。このフォーマットでメモリスティクに記録することにより、データの追記を簡単に行うことができる。ＰＯＩの記述例は後述する。
【００５８】
このデジタルカメラ３０を電子ガイド装置として動作させるときの処理手順は、前記図３に示した通りである。ただし、ユーザ情報としては、テキストデータの他に、写真画像もあるので、ステップＳ４では、ガイド情報の他、テキストデータと写真画像によるユーザ情報を表示する。
【００５９】
これにより、使用者は、目的施設のガイド情報をテキストや、画像として見ることができると共に、自らが入力部４を用いて追記したテキストデータや、撮影した写真画像によるユーザ情報をも確認することができるので、使い勝手を向上できる。すなわち、デジタルカメラ３０は、使用者にとって独自のユニークなガイド装置となる。
【００６０】
このデジタルカメラ３０でも、ＣＰＵ４２が既にフラッシュメモリー４４又はメモリーカード５０に格納されている、ガイド情報変更処理プログラムを前記図５に示す手順で実行することにより、テキストデータ及び画像データからなるユーザ情報をそのままに、ガイド情報だけのバージョンアップを容易に行うことができる。
【００６１】
次に、第３の実施の形態について図８〜図１８を参照しながら説明する。この第３の実施の形態は、電子旅行ガイド装置として使用される、図８に示す携帯情報端末（Personal Digital Assistants：ＰＤＡ）１００である。この携帯情報端末１００は、前述した第２の実施の形態のように、テキストデータ及び写真画像からなるユーザ情報をガイド情報に関連付けて表示部に表示する他、自分の位置を測位して表示部上の地図に表示するものである。
【００６２】
このため、携帯情報端末１００は、ＧＰＳ衛星からのＧＰＳ信号を受信し現在位置を測定するＧＰＳ部１１４を備える。このＧＰＳ部１１４は、ＧＰＳアンテナ１１７で受信した電波から、ＲＦ処理部１１６で信号抽出し、位置測定部１１５で現在地の緯度経度・高度・現在時間等を計算する。ＧＰＳによる測位技術は、高度約２万Ｋｍを周回する２４個の衛星のうち、３個以上の衛星から送られる、搬送周波数１５７５.４２ＭＨｚのＬ１電波に含まれているＣ／Ａ(Coarse ／Acquisition)コードを使って、移動体と衛星間の距離を求めることにより、移動体の位置を計算するものである。ＧＰＳ部１１４で計算された現在位置の測位情報は、インターフェース（Ｉ／Ｆ）部１１３を通して、ＣＰＵ１０９に渡される。
【００６３】
また、携帯情報端末装置１００は、プログラムＲＯＭ１１１も内蔵し、オペレーティングシステム（ＯＳ）や、このＯＳに続いて実行されるアプリケーションソフト、例えばデジタル地図表示アプリケーションを格納している。また、一般的なＰＩＭ（Personal Information Management）機能である、電子スケジュール管理、電子アドレス帳、電子メモ帳、行動リスト管理などの機能を実行する各アプリケーションソフトや、電子ガイドプログラム等を格納している。また、ＧＰＳ部１１４からの測位情報を現在地シンボルのような地図上の位置表示情報に変換するアプリケーションも格納している。このアプリケーションをＣＰＵ１０９が実行することにより、ＣＰＵ１０９は、現在位置データを地図上の位置表示情報に変換する。
【００６４】
また、携帯情報端末装置１００は、前記電子ガイドプログラムを実行することにより、前記ガイド情報やユーザ情報を表示したり、前記デジタル地図表示アプリケーションがＣＰＵ１０９にて実行されたときに、地図情報に応じた地図画像を表示するＬＣＤ１０６とこのＬＣＤ１０６をコントロールするＬＣＤコントロール部１０５を備える。
【００６５】
また、携帯情報端末１００は、地図データをメモリーカード５に記録するための記録読出部１０７と、メモリーカードコントロール部１０７を備える。
【００６６】
さらには、携帯情報端末１００は、ＧＰＳ部１１４の代わりに、ナビゲーション装置や携帯電話装置などの他の機器から測位情報を得るためにローカル無線通信部１０１を備える。
【００６７】
例えば携帯情報端末装置１００が測位情報を得るために前記他の機器に出す要求信号は、ＣＰＵ１０９から通信コントロール部１１０を経由し、ローカル無線通信部１０１のベースバンド処理部１０２で信号処理され、ＲＦ処理部１０３で伝送波にのせられ、ローカル無線通信アンテナ１０４から前記他の機器に無線送信される。また、逆に、前記他の機器から無線送信されてきた電波は、ローカル無線通信アンテナ１０４で受信され、ＲＦ部１０３で信号抽出され、ベースバンド信号処理部１０２で信号処理され、通信コントロール部１１０経由でＣＰＵ１０９に伝えられる。
【００６８】
また、携帯情報端末１００は、例えばキー操作子や、ペン入力を受け付けるパット入力部等の入力部１２２を備える。
【００６９】
また、携帯情報端末１００は、前記図６に示したデジタルカメラ３０と同様に、被写体を撮影し、写真画像を得るために、フォーカスコントロール部１１８と、レンズ１１９と、ＣＣＤ１２０と、撮影メモリー１２１と、シャッター１１２を備える。フォーカスコントロール部１１８によってピント調整されたレンズ１１９を用いて撮影された被写体の画像は、ＣＣＤ１２０により画像信号に変換され、撮影メモリー１２１にデジタル信号（画像データ）で記録される。この被写体の画像（写真イメージ）は、ＬＣＤコントロール部１０５を経てＬＣＤ１０６に表示され、利用者はこれを確認して、シャッター１１２を押す。
【００７０】
図９には、携帯情報端末１００の外観及び表示例を示す。左側部にはローカル無線アンテナ１０４が配設されている。また、上部左側にはＧＰＳアンテナ１１７が配設されている。ＬＣＤ１０６の画面のタイトル表示部１０６ａには、この携帯情報端末１００が電子旅行ガイド装置として使用されたときの目的施設の名称「○△×○大王像」が表示されている。また、解説表示部１０６ｂには、ガイド情報の他、テキストデータによるユーザ情報が「☆けっこう笑える☆」と表示されている。また、選択画像表示部１０６ｃには、ガイド情報の一種として「○△×○大王像」の外観を写した写真画像が表示されている。この選択画像表示部１０６ｃには、ユーザの選択に応じてユーザにより前記ユーザ情報として撮影された写真画像が表示されてもよい。また、地図表示部１０６ｄには、目的施設となる「○△×○大王像」のある位置マーク１０６ｅや、携帯情報端末１００のＧＰＳ部１１４にて測位した現在位置マーク１０６ｆが表示される。
【００７１】
つまり、携帯情報端末１００を電子旅行ガイド装置として用いれば、テキスト、画像、地図が同時に表示され、自分がいる位置がその範囲に入っている地図を見ている場合には、自分の位置をその地図上に確認することができる。地図データには、ベクター、画像等の形式にかかわらず、緯度経度が記録されているので、ＧＰＳ部１１４で入手した測位情報だけではなく、他の機器からローカル通信部１０１を介して入手した測位情報によっても、現在位置を表示することができる。また、目的地の設定や、経路案内などのナビゲーションをすることも可能である。
【００７２】
このことは、前記図１に示した電子ガイド装置１がＧＰＳ部や写真撮影部を備えていれば図２の地図表示部１０ｄ上に目的施設の位置マーク１０ｅや現在地マーク１０ｆを示せることを容易に想起させる。
【００７３】
次に、ＰＯＩ情報について説明する。例えば、目的施設の位置マーク１０６ｅ，１０ｅを地図上に表示する際に有効に使われる。また、友人からの情報をもらってユーザ情報に加えるときにも有効である。さらには、友人などと前もって旅行の相談をする場合のデータ交換にも有効である。
【００７４】
図１０には、ＰＯＩ情報の具体例を示す。ＸＭＬ（eXtensible Mark-up Language）言語で記述されている。また、図１１には、このＰＯＩ情報に対応する目的施設のガイド情報の表示例を示す。
【００７５】
図１０において、ＰＯＩ情報であることを示す（<poi>）タグ内に、ポジション（<pos>）タグで囲んで、緯度（<lat>）タグ、経度（<lon>）タグを記述している。また、名称（<name>）タグにて「東京タワー」を記述し、アドレス（<address>）タグにて「東京都港区・・・・」をテキストで記述し、さらには郵便番号、電話番号を該当タグ内にて記述している。
【００７６】
このため、図１１に示す携帯情報端末１００（電子旅行ガイド装置）のＬＣＤ１０６の画面のタイトル表示部１０６ａには「東京タワー」という目的施設名称が、また、解説表示部１０６ｂには住所、電話番号等が表示される。さらには地図表示部１０６ｄには、ポジション（<pos>）タグ内の、緯度（<lat>）タグ、経度（<lon>）タグに記述された緯度経度情報に応じた目的施設の位置マーク１０６ｅが表示される。なお、地図表示部１０６ｄには、ＧＰＳ部１１４で測位された情報に基づいた現在位置マーク１０６ｆも表示されている。
【００７７】
また、図１０に示したようなＰＯＩフォーマットを用いれば、メモリーカードのような外部記録媒体を用いて容易に他の電子旅行ガイド装置との間でデータをやりとりすることができる。例えば、メモリースティック（登録商標）の場合は、位置情報交換フォーマットとしてＧＬＯＲＩＥ（Global Location-related Information Exchange File Format）が定義されているので、このフォーマットで記録することにより、データのやりとりを簡単に行うことができる。友人などと前もって旅行の相談をする場合に、ＰＯＩフォーマットのデータを用いれば、外部記録媒体を通して、交換することにより、図１２に示すように、相互に異なったタイプの携帯情報端末（電子旅行ガイド装置）１００、２００を所有していたとしても、自分の持っている装置にあった形でＰＯＩ情報を見ることができるし、地図に反映することもできる。
【００７８】
図１２に示す例では、（ｂ）の電子旅行ガイド装置２００は、タイトル表示部２０１ａ、解説表示部２０１ｂ、選択画像表示部２０１ｃ、地図表示部２０１ｄの位置を、(a)の電子旅行ガイド装置１００とは異ならせている。もちろん、それぞれの領域のサイズは、表示部や、装置のサイズに応じて異なっていることもある。
【００７９】
なお、図１２には、相互に異なった携帯情報端末同士でデータをやりとりする具体例を示したが、携帯情報端末とデジタルスチルカメラ、携帯情報端末と携帯電話装置のように、ＰＯＩ情報を取り扱える装置であり、地図などを表示できる装置であれば他の装置でもかまわない。もちろん、パーソナルコンピュータにてＰＯＩフォーマットで記録されたＰＯＩ情報を、メモリーカードを媒体として、携帯情報端末、デジタルカメラなどの電子旅行ガイド装置に渡してもよい。
【００８０】
また、図１３に示すように、ＰＯＩ情報に、リンクファイル（<linkfile>）タグを追加し、その中に、<text href ="..../MEMO.TXT">,</text>を記述し、ユーザ情報へのリンクを指定することにより、例えばテキストファイル（MEMO.TXT）で記録されている、ユーザ情報「夜景がとてもきれいです。」を前記解説表示部等に表示することができる。
【００８１】
図１４には、携帯情報端末１００の解説表示部１０６ｂに☆夜景がとてもきれいです☆と表示している例を示す。同様に、前記ＰＯＩ情報中でリンクファイルを指定することにより、前記図２に示した解説表示部１０ｂの☆すっごく大きい☆や、図８に示した解説表示部１０６ｂの☆けっこう笑える☆というユーザ情報の追加が可能となる。また、前述したように、ガイド情報にある［○○美術館］に関連付けて☆必見☆と書き込んだり、［△△レストラン］に“お勧めは××××”とコメントを書き込んだりが可能となる。
【００８２】
図１５には、ガイド情報（旅行ガイドデータ）とユーザ情報（ユーザ書き込みデータ）の記録状態を模式化して示す。「２００１年版旅行ガイドデータ」と「ユーザ書き込みデータ」は分かれて記録されている。「ユーザ書き込みデータ」は、ＰＯＩデータと、写真（画像）と、メモ（テキスト）からなる。このユーザ書き込みデータ中のＰＯＩデータは、例えばＰＣなどにより記録され、メモリーカードを媒介として電子旅行ガイド装置に後から追加記録されたものである。
【００８３】
ＰＯＩデータは、ガイド情報「２００１年版旅行ガイドデータ」中にも記述されている。前記図１２に示したＰＯＩデータはガイド情報中の記述例である。
【００８４】
図１６には、ユーザ情報としてユーザが独自の情報を書き込むときの具体例を示す。ユーザは、書き込みするデータをファイルやレコードなどの塊として記録する。ガイドデータ中には、それに対するリンク情報が記述される。例えば、解説表示部に表示される解説文中にはコメント１のリンクが張られており、例えばテキストデータで記述されたコメント、「必見」、「すごく大きい」、「かなり笑える」、「夜景がきれいです。」などを指定し、表示部に表示させる。また、美術館の写真画像にもリンクが張られ、ユーザ書き込みデータ中の写真画像１を指定し、表示部に表示させる。さらには、ガイド情報として記述されている例えば○○レストランに関するＰＯＩ情報に張られたリンクによってユーザ書き込みデータのコメント２が指定され、「お勧めは××××」というようなユーザ情報を表示部に表示させる。
【００８５】
また、解説表示部に表示される解説文中に出てきた観光地やレストランなどの名称に、ＰＯＩ情報へのリンクを張れば、直ちに詳しいＰＯＩ情報を見ることができる。
【００８６】
この携帯情報端末１００が前記構成を採ることにより可能となる他の動作例を以下に挙げる。先ず、カメラ部で写真を撮影することができ、その写真には撮影した場所の緯度経度を記録できる。よって、地図上にプロットもしくはリンク情報がプロットされる。そして、地名が記載されたそれらの写真を整理し、アルバムを自動的に作成することができる。
【００８７】
また、旅行ガイド情報中の写真を、自分が撮影した写真に置き換えることができる。そうすることにより、ガイドブック用いられる写真を、例えば自分が写っている写真にして保存することができる。
【００８８】
また、ユーザが撮影した写真やメモ、自分で集めた情報などで電子旅行ガイド装置をカスタマイズすることにより、自分の旅行記を作成し、保存することがでっきる。その旅行記は、外部記録メディアに出力することもできるし、印刷することもできる。また、外部記録メディアに出力されたデータに対して、ＰＣ等により編集を加えることもできる。
【００８９】
また、インターネットやiモードなどを通じてホテルやレストランなどの予約を行う場合、予約した場所の地図と共に緯度経度を送ることは、例えば、ＰＯＩフォーマットを用いれば可能であるが、そのようにして送られた情報を用いて、この電子旅行ガイド装置上の地図に反映して他のホテルなどと共に表示したり、目立つような目印を付けたりすることができる。
【００９０】
また、ガイド情報中の名称を、現地語と自国語の両方で表示し、片方の言語をルビ文字にして表示するようにしてもよい。
【００９１】
次に、携帯情報端末１００（電子旅行ガイド装置１００）が、ベンダー側が提供する旅行ガイド情報をバージョンアップするときに、前記ユーザ情報を一緒に変更してしまわないようにする旅行ガイド情報変更処理について説明する。
【００９２】
電子旅行ガイド装置１００は、前述したのと同様に図１７の（ａ）に示すように、ガイド情報（旅行ガイドデータ）とユーザ情報（ユーザ書き込みデータ）を分けて記録する。「ユーザ書き込みデータ」は、ＰＯＩデータと、写真（画像）と、メモ（テキスト）からなる。
【００９３】
バージョンアップ時には、図１７の（ｂ）に示すように、ガイド情報（旅行ガイドデータ）のみをその対象にすることができるので、ユーザ情報はそのままにガイド情報だけのバージョンアップが容易に可能となる。
【００９４】
次に、ユーザ情報へのリンクが有るときのバージョンアップの具体例を図１８と、前記図５のフローチャートを用いて説明する。携帯情報端末１００のＣＰＵ１０９がプログラムＲＯＭやメモリーカード５に格納された前記ガイド情報変更処理プログラムを実行したときの処理手順に含まれる。ここでは、例えば、解説表示部のガイド情報にバージョンアップデータが有る場合について説明する。
【００９５】
図５のステップＳ１３にてＣＰＵ１０９が解説表示部の前バージョンのデータ有りと判定すると、ステップＳ１４にてＣＰＵ１０９はユーザ情報へリンクが有るか否かをチェックする。ここでは、リンクがあるのでステップＳ１５に進んで、例えば図１３に示したようなユーザへのリンク情報を一時退避する。その後、ステップＳ１６にて図１８の（ｂ）に示すようにバージョンアップデータを書き込み、さらにはステップＳ１７にて退避したリンク情報を元に戻す。
【００９６】
なお、前記ステップＳ１３にて前のバージョンのデータがあるか否かをチェックするには、ＰＯＩ情報の場合、緯度経度、名称、住所、電話番号などを比較し、一致を判定すればよい。例えば、図１３の形で旅行ガイド情報が記録されていたとすると、名称と緯度経度で比較する場合には、“東京タワー”と、緯度“35.6550”、経度“139.7486”でデータの一致を判定できるので、それに付随する情報を新しいデータに更新すればよい。
【００９７】
このように、電子旅行ガイド装置１００でも、ユーザ情報はそのままに旅行ガイド情報のみをバージョンアップすることができるので、ユーザは独自に書き込んだユーザ情報をそのまま利用することができる。
【００９８】
次に、第４の実施の形態について図１９、図２０を参照して説明する。この第４の実施の形態は、電子旅行ガイド装置として使用される携帯電話７０である。この携帯電話７０も前記携帯情報端末１００と同様に、テキストデータ及び写真画像からなるユーザ情報をガイド情報に関連付けて表示部に表示する他、自分の位置を測位して表示部上の地図に表示するものである。
【００９９】
携帯電話装置７０は、図１９に示すように、音声通信とパケット通信ができるように、ベースバンド処理部８３からＲＦ部８２、携帯電話アンテナ８１を通して基地局と無線通信できる機能があり、通信の状況や操作に関する情報を、ＬＣＤコントロール部７４を通してＬＣＤ７５に表示する。また、携帯電話装置７０は、前記ベースバンド処理部８３からＲＦ部８２、携帯電話アンテナ８１を用いて、位置測定のために携帯電話基地局から基地局信号を受信する携帯電話信号測位処理部を構成している。また、携帯電話装置７０は、ＧＰＳ衛星からのＧＰＳ信号を受信するＧＰＳ受信装置（以下、ＧＰＳ部と示す）も備える。ＧＰＳアンテナ９１は前記ＧＰＳ部を構成し、また携帯電話アンテナ８１は前記携帯電話信号測位処理部を構成する。また、携帯電話装置７０は、ローカル無線通信部１３０も備えている。
【０１００】
携帯電話信号測位処理部８０は、携帯電話基地局からの電波を携帯電話アンテナ８１で受信し、ＲＦ処理部８２で信号抽出し、ベースバンド処理部８３で信号処理する。そして、処理された信号の位相差を位置測定部８４で測定することにより現在地の緯度経度を求める。また、音声通信とパケット通信時に処理された、通信の状況や操作に関する情報を、ＬＣＤコントロール部７４を通してＬＣＤ７５に表示する。
【０１０１】
ＧＰＳ部９０は、ＧＰＳ衛星からの電波をＧＰＳアンテナ９１で受信し、ＲＦ処理部９２で信号抽出し、位置測定部９３で信号処理し現在地の緯度経度を求める。
【０１０２】
ローカル無線通信部１３０は、周辺のデバイスとデータを送受信する。送信すべきデータは、通信コントロール部１３４を通して、ローカル無線のベースバンド処理部１３１で伝送波と混合され、ＲＦ部１３２、ローカル無線通信アンテナ１３３を通して、周辺のデバイスに送信することができる。逆に、他のデバイスからデータを受信することもできる。
【０１０３】
携帯電話信号測位処理部８０やＧＰＳ部９０で計算された現在位置の緯度経度は、インターフェース（Ｉ／Ｆ）部７１を通して、ＣＰＵ７２に渡される。
【０１０４】
ＣＰＵ７２には、バスを介して、メモリー７３、ＬＣＤコントロール部７４、プログラムＲＯＭ７６、キー入力部７７等が接続されている。
【０１０５】
プログラムＲＯＭ７６は、オペレーティングシステム（ＯＳ）や、このＯＳに続いて実行されるアプリケーションソフト、例えばデジタル地図表示アプリケーションを格納している。さらには、測位情報を現在地シンボルのような地図上の位置表示情報に変換するアプリケーションも格納している。このアプリケーションをＣＰＵ７２が実行することにより、ＣＰＵ７２は、現在位置データを地図上の位置表示情報に変換する。また、プログラムＲＯＭ７６は、前記電子ガイドプログラムを格納している。
【０１０６】
また、携帯電話７０は、地図データをメモリーカード５に記録媒体するための記録読出部１４５と、メモリーカードコントロール部１４６を備える。メモリーカードには、前記オペレーティングシステム（ＯＳ）や、このＯＳに続いて実行されるアプリケーションソフト、例えばデジタル地図表示アプリケーション、測位情報を現在地シンボルのような地図上の位置表示情報に変換するアプリケーション、前記電子ガイドプログラムを格納していてもよい。
【０１０７】
また、携帯電話７０は、前記図６に示したデジタルカメラ３０と同様に、被写体を撮影し、写真画像を得るために、フォーカスコントロール部１４１と、レンズ１４２と、ＣＣＤ１４３と、撮影メモリー１４４と、シャッター７８を備える。フォーカスコントロール部１４１によってピント調整されたレンズ１４２を用いて撮影された被写体の画像は、ＣＣＤ１４３により画像信号に変換され、撮影メモリー１４４にデジタル信号（画像データ）で記録される。この被写体の画像（写真イメージ）は、ＬＣＤコントロール部７４を経てＬＣＤ７５に表示され、ユーザはこれを確認して、シャッター７８を押す。
【０１０８】
図２０には、携帯電話７０の外観及び表示例を示す。右側部にはローカル無線アンテナ１３３が配設されている。また、上部右側にはＧＰＳアンテナ９１が、上部左側には携帯電話アンテナ８１が配設されている。ＬＣＤ７５の画面のタイトル表示部７５ａには、この携帯電話７０が電子旅行ガイド装置として使用されたときの目的施設の名称「東京タワー」が表示されている。また、解説表示部７５ｂには、ガイド情報の他、テキストデータによるユーザ情報も表示されている。また、選択画像表示部７５ｃには、ガイド情報として「東京タワー」の外観を写した写真画像が表示されている。この選択画像写真部７５ｃには、ユーザの選択に応じてユーザにより前記ユーザ情報として撮影された写真画像が表示されてもよい。また、地図表示部７５ｄには、目的施設となる「東京タワー」のある位置マーク７５ｅや、携帯電話７０のＧＰＳ部９０にて測位した現在位置マーク７５ｆが表示される。
【０１０９】
この携帯電話７０を電子旅行ガイド装置として用いたときにも、テキスト、画像、地図が同時に表示され、自分がいる位置がその範囲に入っている地図を見ている場合には、自分の位置をその地図上に確認することができる。地図データには、ベクター、画像等の形式にかかわらず、緯度経度が記録されているので、ＧＰＳ部９０で入手した測位情報だけではなく、他の機器からローカル通信部１３０を介して入手した測位情報や、携帯電話信号測位処理部８０を介して基地局から得た測位情報によっても、現在位置を表示することができる。また、目的地の設定や、経路案内などのナビゲーションをすることも可能である。もちろん、この携帯電話７０でも前記ＰＯＩ情報を扱うことができるので、図１０〜図１６を用いて説明したのと同様の処理を行うことができる。
【０１１０】
さらには、この携帯電話７０による電子旅行ガイド装置においても、ユーザ情報はそのままに旅行ガイド情報のみをバージョンアップすることができるので、ユーザは独自に書き込んだユーザ情報をそのまま利用することができる。前記図５、図１３、図１７及び図１８を用いて説明したのと同様のガイド情報変更処理手順を当てはめることができるからである。
【０１１１】
次に、第５の実施の形態について図２１を参照して説明する。この第５の実施の形態は、電子旅行ガイド装置として使用される携帯型パーソナルコンピュータ装置２００である。
この携帯型パーソナルコンピュータ装置２００は、例えばＢ５サイズ以下の持ち運び易い携帯型パーソナルコンピュータ装置である。この携帯型パーソナルコンピュータ装置２００は、測位情報をＧＰＳ信号から得るためのＧＰＳアンテナ２５８と、他の機器から測位情報を受信するためのローカル無線通信部２３０を備える。
【０１１２】
この携帯型パーソナルコンピュータ装置２００は、本体２０２と当該本体２０２に対して開閉自在に取り付けられ、前記ローカル無線通信部２３０の後述するローカル無線通信アンテナ２３３が設けられる表示部２０３とによって構成されている。
【０１１３】
本体２０２には、上面に各種文字や記号及び数字等を入力する複数の操作キー２０４、表示部２０３に入力表示されるカーソルを移動するときに操作するスティック式ポインティングデバイス２０５、内蔵スピーカ２０６、表示部２０３に設けられたＣＣＤ カメラ２２３によって画像を撮像するときに操作するシャッターボタン２０７が設けられている。
【０１１４】
表示部２０３の正面には、ＬＣＤでなる液晶ディスプレイ２２１が設けられており、正面の中央上端部にＣＣＤカメラ２２３を備えた撮像部２２２が表示部２０３に対して回動自在に取り付けられている。
【０１１５】
すなわち撮像部２２２は、表示部２０３の正面方向及び背面方向との間の１８０度の角度範囲内で回動して任意の位置に位置決めし得るようになされている。また撮像部２２２には、ＣＣＤカメラ２２３のフォーカス調整を行う調整リングが設けられている。
【０１１６】
また表示部２０３の正面には、撮像部２２２の左隣にマイクロフォン２２４が設けられており、当該マイクロフォン２２４を介して表示部２０３の背面側からも集音し得るようになされている。
【０１１７】
また表示部２０３における正面の中央下端部には、ＬＥＤ(Light Emitting Diode)でなる電源ランプＰＬ、電池ランプＢＬ、メッセージランプＭＬ及びその他の種々の用途に対応したランプが設けられている。
【０１１８】
さらには表示部２０３の正面上端部には、マイクロフォン２２４の左隣にツメ２１３が設けられると共に、当該ツメ２１３と対応する本体２０２の所定位置に孔部２０８が設けられており、表示部２０３を本体２０２に閉塞した状態でツメ２１３が孔部２０８に嵌合されてロックするようになされている。
【０１１９】
また、表示部２０３の後面には、後述するローカル無線通信アンテナ２３３が設けられている。
【０１２０】
本体２０２の正面には、スライドレバー２０９が設けられており、当該スライドレバー２０９を正面に沿って矢印方向にスライドすることにより、孔部２０８に嵌合されたツメ２１３のロックを解除して表示部２０３を本体２０２に対して展開し得るようになされている。
【０１２１】
また本体２０２の正面には、１回のボタン操作で電源オンから所定のアプリケーションソフト（以下、これを単にアプリケーションと呼ぶ）を立ち上げて予め設定しておいた一連の動作を自動的に実行するためのプログラマブルパワーキー（ＰＰＫキー）２１０が左端部に設けられると共に、右端部に複数の吸気孔２１１が設けられている。
【０１２２】
もちろん、この携帯型パーソナルコンピュータ装置２００を電子旅行ガイド装置として用いたときにも、テキスト、画像、地図が同時に表示され、自分がいる位置がその範囲に入っている地図を見ている場合には、自分の位置をその地図上に確認することができる。地図データには、ベクター、画像等の形式にかかわらず、緯度経度が記録されているので、ＧＰＳ部で入手した測位情報だけではなく、他の機器からローカル通信部を介して入手した測位情報によっても、現在位置を表示することができる。また、目的地の設定や、経路案内などのナビゲーションをすることも可能である。もちろん、この携帯がパーソナルコンピュータ装置２００でも前記ＰＯＩ情報を扱うことができるので、図１０〜図１６を用いて説明したのと同様の処理を行うことができる。
【０１２３】
また、この携帯型パーソナルコンピュータ装置２００による電子旅行ガイド装置においても、ユーザ情報はそのままに旅行ガイド情報のみをバージョンアップすることができるので、ユーザは独自に書き込んだユーザ情報をそのまま利用することができる。前記図５、図１３、図１７及び図１８を用いて説明したのと同様のガイド情報変更処理手順を当てはめることができるからである。
【０１２４】
以上説明したように前記第１〜第５の実施の形態を用いることにより、例えば観光ガイド情報や辞書などを１台の携帯情報端末や、携帯電話、デジタルカメラ、携帯型パーソナルコンピュータ装置で持ち歩くことができ、さらにその中に記載される地図に現在位置を表示できるので、例えば新しい旅行ツールとして持ち歩くのに非常に便利である。地図は、カーナビゲーション装置のような道路地図だけではなく観光用の地図でもよいのでユーザにとって非常にわかりやすい。また、前記電子旅行ガイド装置は、自分の好きな情報でカスタマイズができ、自分だけの電子旅行ガイド装置を作ることができるので、インターネットなどで書き込まれている口コミ情報や友人から教えてもらった情報など、最新の情報をもっていくことができる。
【０１２５】
特に、デジタルカメラ機能付きの装置にて使用すれば、デジタルカメラも含めてこれ１台で旅行へ持っていくことができるので、荷物も減り、非常に便利である。さらに、写真と共に旅行記として記録できるので、年々変わっていく現地の観光情報も一緒に保存し、記録として残すことができる。
【０１２６】
なお、本発明は具体的に、電子旅行ガイド装置に適用が可能であることを説明したが、例えば営業担当者が所持する、複数の訪問先のガイド情報を扱うガイド装置や、その他、介護担当者等が所持する、複数の訪問先のガイド情報を扱うガイド装置にも適用が可能である。
【０１２７】
【発明の効果】
本発明によれば、目的地や目的施設に関する文字、画像及び地図データからなる、ベンダー側提供のガイド情報にユーザが記録したテキストや画像からなるユーザ情報を関連付けて表示することができる。また、ガイド情報のバージョンアップを行う際に、ユーザが書き込んだ前記ユーザ情報はそのままに、ベンダー側が提供したガイド情報だけを変更することができる。
【０１２８】
本発明によれば、目的地や目的施設に関する文字、画像及び地図データからなる、ベンダー側提供のガイド情報の他、さらに自分の現在位置や経路を表示することができる。また、ガイド情報のバージョンアップを行う際に、ユーザが書き込んだ前記ユーザ情報はそのままに、ベンダー側が提供したガイド情報だけを変更することができる。
【０１２９】
本発明によれば、目的地や目的施設に関する文字、画像及び地図データからなる、ベンダー側提供のガイド情報の他、ユーザが記録したテキストや画像からなるユーザ情報を関連付けて記録、又は出力することができる。また、ガイド情報のバージョンアップを行う際に、ユーザが書き込んだ前記ユーザ情報はそのままに、ベンダー側が提供したガイド情報だけを変更することができる。
【図面の簡単な説明】
【図１】第１の実施の形態の電子ガイド装置のブロック図である。
【図２】電子ガイド装置の表示例を示す図である。
【図３】電子ガイド装置の動作を説明するためのフローチャートである。
【図４】電子ガイド装置の選択画面例を示す図である。
【図５】電子ガイド装置のガイド情報変更処理手順を示すフローチャートである。
【図６】第２の実施の形態のデジタルカメラのブロック図である。
【図７】デジタルカメラの外観図である。
【図８】第３の実施の形態の携帯情報端末のブロック図である。
【図９】携帯情報端末の外観及び表示例を示す図である。
【図１０】ＰＯＩ情報の記述例を示す図である。
【図１１】図１０のＰＯＩ情報に対応するガイド情報の表示例を示す図である。
【図１２】相互に異なったタイプの携帯情報端末における表示例を示す図である。
【図１３】リンクファイルを追加したＰＯＩ情報の記述例を示す図である。
【図１４】携帯情報端末において、テキストによるユーザ情報を表示した例を示す図である。
【図１５】ガイド情報（旅行ガイドデータ）とユーザ情報（ユーザ書き込みデータ）の記録状態を模式化して示す図である。
【図１６】ユーザ情報としてユーザが独自の情報を書き込むときの具体例を示す図である。
【図１７】ガイド情報のバージョンアップ例を示す図である。
【図１８】ユーザ情報へのリンクがある場合のバージョンアップ例を示す図である。
【図１９】第４の実施の形態の携帯電話のブロック図である。
【図２０】携帯電話の外観と表示例を示す図である。
【図２１】第５の実施の形態の携帯型パーソナルコンピュータ装置の外観を示す図である。
【符号の説明】
１  ガイド装置、２  ＣＰＵ、４  表示部、５  入力部、６  メモリー、７  内蔵記録メディア、８  外部記録メディア、９  無線通信部、１０  表示画面、１０ａ  タイトル表示部、１０ｂ  解説表示部、１０ｃ  画像表示部、１０ｄ  地図表示部
【図１】
0003801049.tif 000002
【図２】
0003801049.tif 000003
【図３】
0003801049.tif 000004
【図４】
0003801049.tif 000005
【図５】
0003801049.tif 000006
【図６】
0003801049.tif 000007
【図７】
0003801049.tif 000008
【図８】
0003801049.tif 000009
【図９】
0003801049.tif 000010
【図１０】
0003801049.tif 000011
【図１１】
0003801049.tif 000012
【図１２】
0003801049.tif 000013
【図１３】
0003801049.tif 000014
【図１４】
0003801049.tif 000015
【図１５】
0003801049.tif 000016
【図１６】
0003801049.tif 000017
【図１７】
0003801049.tif 000018
【図１８】
0003801049.tif 000019
【図１９】
0003801049.tif 000020
【図２０】
0003801049.tif 000021
【図２１】
0003801049.tif 000022